(57)【要約】電線(２)に取り付けられるプラグ(３)と、基板(４)のコネクタ搭載面(５)に搭載されるレセプタクル(６)と、を備え、プラグ(３)及びレセプタクル(６)は金属によって形成されており、プラグ(３)をレセプタクル(６)へ嵌合させることで電線(２)を基板(４)に対して接続する、電線対基板コネクタ(１)は、以下のように構成されている。プラグ(３)をレセプタクル(６)へ嵌合させた際に、電線(２)のプラグ(３)近傍における長手方向となる方向としての電線方向は、基板(４)のコネクタ搭載面(５)に対して平行である。プラグ(３)をレセプタクル(６)へ嵌合させる方向としての嵌合方向(P)は、基板(４)のコネクタ搭載面(５)に対して近づく方向である。
2013145521.tif 000002
【特許請求の範囲】
【請求項１】
電線に取り付けられる第１端子と、基板のコネクタ搭載面に搭載される第２端子と、を備え、前記第１端子及び前記第２端子は金属によって形成されており、前記第１端子を前記第２端子へ嵌合させることで前記電線を前記基板に対して接続する、電線対基板コネクタであって、
前記第1端子を前記第2端子へ嵌合させた際に、前記電線の前記第１端子近傍における長手方向となる方向としての電線方向は、前記基板の前記コネクタ搭載面に対して平行であり、
前記第1端子を前記第2端子へ嵌合させる方向としての嵌合方向は、前記基板の前記コネクタ搭載面に対して近づく方向である、
電線対基板コネクタ。
【請求項２】
請求項１に記載の電線対基板コネクタであって、
前記嵌合方向は、前記基板の前記コネクタ搭載面に対して直交する方向である、
電線対基板コネクタ。
【請求項３】
請求項１又は２に記載の電線対基板コネクタであって、
前記第２端子は、
前記基板の前記コネクタ搭載面に対して対向する底板部と、
前記第２端子へ嵌合した前記第１端子を、前記電線方向に対して直交する方向としての電線直交方向で挟む一対の側板部と、
を有する、
電線対基板コネクタ。
【請求項４】
請求項３に記載の電線対基板コネクタであって、
前記第２端子は、前記基板の前記コネクタ搭載面から離れるように延びるガイド棒部を有し、
前記第１端子には、前記ガイド棒部が挿入されるガイド孔部が形成されている、
電線対基板コネクタ。
【請求項５】
請求項３又は４に記載の電線対基板コネクタであって、
前記第１端子は、一対の梁状の接点梁を有し、
前記第２端子は、前記一対の接点梁の間に圧入される接点片を有する、
電線対基板コネクタ。
【請求項６】
請求項５に記載の電線対基板コネクタであって、
前記一対の接点梁は、片持ち梁状に形成されている、
電線対基板コネクタ。
【請求項７】
請求項５又は６に記載の電線対基板コネクタであって、
前記接点片は、前記底板部から離れて形成されている、
電線対基板コネクタ。
【請求項８】
請求項７に記載の電線対基板コネクタであって、
前記接点片は、前記一対の側板部のうち何れか一方の側板部に支持されている、
電線対基板コネクタ。
【請求項９】
請求項５〜８の何れかに記載の電線対基板コネクタであって、
前記第１端子は、前記一対の接点梁を挟んで前記基板と反対側に配置される押し込み板部を有する、
電線対基板コネクタ。
【請求項１０】
請求項３〜９の何れかに記載の電線対基板コネクタであって、
前記第１端子又は前記第２端子のうち少なくとも何れか一方に、前記第２端子からの前記第１端子の離脱を防止するロック機構が形成されている、
電線対基板コネクタ。
【請求項１１】
請求項１０に記載の電線対基板コネクタであって、
前記第２端子は、
前記一対の側板部に夫々支持されると共に、前記電線方向に梁状に延びる一対のロック梁と、
前記一対のロック梁に夫々支持されると共に、相互に近づくように突出する一対の爪部と、
を有し、
前記第１端子を前記第２端子へ嵌合させると前記第１端子が前記第２端子の前記一対の爪部に引っ掛かるように構成され、
前記一対のロック梁と前記一対の爪部は、前記ロック機構を構成している、
電線対基板コネクタ。
【請求項１２】
請求項１１に記載の電線対基板コネクタであって、
前記第１端子は、前記電線の中心導体を保持する中心導体保持部を有し、
前記第１端子を前記第２端子へ嵌合させると前記第１端子の前記中心導体保持部が前記第２端子の前記一対の爪部に引っ掛かるように構成されている、
電線対基板コネクタ。
【請求項１３】
請求項３〜１２の何れかに記載の電線対基板コネクタであって、
前記第２端子は、
前記一対の側板部に夫々接続し、前記基板の前記コネクタ搭載面から離れるにつれて相互に離れるように傾斜する、一対の傾斜部を有する、
電線対基板コネクタ。
【発明の詳細な説明】
【技術分野】
【０００１】
本発明は、電線対基板コネクタに関する。
【背景技術】
【０００２】
この種の技術として、特許文献１は、本願の図３６に示すように、基板６００上に表面実装される低背形表面実装ファストンタブ端子６０１に、線材６０２の付いた線材側ファストンタブ端子６０３を接続する構成を開示している。図３６において太線矢印で示すように、低背形表面実装ファストンタブ端子６０１に対する線材側ファストンタブ端子６０３の接続方向は、基板６００に対して平行となるように設計されており、もって、実装高さが抑えられている。
【先行技術文献】
【特許文献】
【０００３】
【特許文献１】特開2010-186663号公報
【発明の概要】
【発明が解決しようとする課題】
【０００４】
しかしながら、上記特許文献１の構成では、コネクタ自体の小型化が進むにつれて作業性が著しく悪化する。【０００５】
本願発明の目的は、作業性に優れた電線対基板コネクタを提供することにある。
【課題を解決するための手段】
【０００６】
本願発明の観点によれば、電線に取り付けられる第１端子と、基板のコネクタ搭載面に搭載される第２端子と、を備え、前記第１端子及び前記第２端子は金属によって形成されており、前記第１端子を前記第２端子へ嵌合させることで前記電線を前記基板に対して接続する、電線対基板コネクタであって、前記第1端子を前記第2端子へ嵌合させた際に、前記電線の前記第１端子近傍における長手方向となる方向としての電線方向は、前記基板の前記コネクタ搭載面に対して平行であり、前記第1端子を前記第2端子へ嵌合させる方向としての嵌合方向は、前記基板の前記コネクタ搭載面に対して近づく方向である、電線対基板コネクタが提供される。
好ましくは、前記嵌合方向は、前記基板の前記コネクタ搭載面に対して直交する方向である。
好ましくは、前記第２端子は、前記基板の前記コネクタ搭載面に対して対向する底板部と、前記第２端子へ嵌合した前記第１端子を、前記電線方向に対して直交する方向としての電線直交方向で挟む一対の側板部と、を有する。
好ましくは、前記第２端子は、前記基板の前記コネクタ搭載面から離れるように延びるガイド棒部を有し、前記第１端子には、前記ガイド棒部が挿入されるガイド孔部が形成されている。
好ましくは、前記第１端子は、一対の梁状の接点梁を有し、前記第２端子は、前記一対の接点梁の間に圧入される接点片を有する。
好ましくは、前記一対の接点梁は、片持ち梁状に形成されている。
好ましくは、前記接点片は、前記底板部から離れて形成されている。
好ましくは、前記接点片は、前記一対の側板部のうち何れか一方の側板部に支持されている。
好ましくは、前記第１端子は、前記一対の接点梁を挟んで前記基板と反対側に配置され、前記嵌合方向に対して直交する平板状の押し込み板部を有する。
好ましくは、前記第１端子又は前記第２端子のうち少なくとも何れか一方に、前記第２端子からの前記第１端子の離脱を防止するロック機構が形成されている。
好ましくは、前記第２端子は、前記一対の側板部に夫々支持されると共に、前記電線方向に梁状に延びる一対のロック梁と、前記一対のロック梁に夫々支持されると共に、相互に近づくように突出する一対の爪部と、を有し、前記第１端子を前記第２端子へ嵌合させると前記第１端子が前記第２端子の前記一対の爪部に引っ掛かるように構成され、前記一対のロック梁と前記一対の爪部は、前記ロック機構を構成している。
好ましくは、前記第１端子は、前記電線の中心導体を保持する中心導体保持部を有し、前記第１端子を前記第２端子へ嵌合させると前記第１端子の前記中心導体保持部が前記第２端子の前記一対の爪部に引っ掛かるように構成されている。
好ましくは、前記第２端子は、前記一対の側板部に夫々接続し、前記基板の前記コネクタ搭載面から離れるにつれて相互に離れるように傾斜する、一対の傾斜部を有する。
【発明の効果】
【０００７】
本願発明によれば、前記第1端子を前記第2端子へ嵌合させる際の作業性がよい。
【図面の簡単な説明】
【０００８】
【図１】図1は、電線対基板コネクタの斜視図であって、使用状態を示す。（第１実施形態）
【図２】図2は、電線対基板コネクタの斜視図であって、レセプタクルにプラグを取り付ける前の状態を示す。（第１実施形態）
【図３】図3は、プラグの斜視図である。（第１実施形態）
【図４】図4は、プラグの別の角度から見た斜視図である。（第１実施形態）
【図５】図5は、レセプタクルの斜視図である。（第１実施形態）
【図６】図6は、レセプタクルの別の角度から見た斜視図である。（第１実施形態）
【図７】図7は、レセプタクルの側面図である。（第１実施形態）
【図８】図8は、電線対基板コネクタの斜視図であって、レセプタクルにプラグが取り付けられた状態を示す。（第１実施形態）
【図９】図9は、レセプタクルの斜視図である。（第２実施形態）
【図１０】図10は、電線対基板コネクタの斜視図であって、レセプタクルにプラグが取り付けられた状態を示す。（第２実施形態）
【図１１】図11は、プラグの斜視図である。（第３実施形態）
【図１２】図12は、プラグの別の角度から見た斜視図である。（第３実施形態）
【図１３】図13は、レセプタクルの斜視図である。（第３実施形態）
【図１４】図14は、レセプタクルの別の角度から見た斜視図である。（第３実施形態）
【図１５】図15は、電線対基板コネクタの斜視図であって、レセプタクルにプラグが取り付けられた状態を示す。（第３実施形態）
【図１６】図16は、電線対基板コネクタの斜視図であって、使用状態を示す。（第４実施形態）
【図１７】図17は、電線対基板コネクタの斜視図であって、レセプタクルにプラグを取り付ける前の状態を示す。（第４実施形態）
【図１８】図18は、プラグの斜視図である。（第４実施形態）
【図１９】図19は、プラグの別の角度から見た斜視図である。（第４実施形態）
【図２０】図20は、プラグの側面図である。（第４実施形態）
【図２１】図21は、レセプタクルの斜視図である。（第４実施形態）
【図２２】図22は、レセプタクルの別の角度から見た斜視図である。（第４実施形態）
【図２３】図23は、レセプタクルの側面図である。（第４実施形態）
【図２４】図24は、電線対基板コネクタの斜視図であって、レセプタクルにプラグが取り付けられた状態を示す。（第４実施形態）
【図２５】図25は、電線対基板コネクタの側面図である。（第４実施形態）
【図２６】図26は、図２５のA部拡大図であって、ロック孔部に収容されたロック隆起部を示す。（第４実施形態）
【図２７】図27は、プラグの斜視図である。（第５実施形態）
【図２８】図28は、図２７のB部拡大図である。（第５実施形態）
【図２９】図29は、レセプタクルの斜視図である。（第５実施形態）
【図３０】図30は、図２９のC部拡大図であって、説明の便宜上、底板部は描いていない。（第５実施形態）
【図３１】図31は、電線対基板コネクタの斜視図であって、レセプタクルにプラグが取り付けられた状態を示す。（第５実施形態）
【図３２】図32は、プラグの斜視図である。（第６実施形態）
【図３３】図33は、図３２のD部拡大図である。（第６実施形態）
【図３４】図34は、レセプタクルの斜視図である。（第６実施形態）
【図３５】図35は、電線対基板コネクタの斜視図であって、レセプタクルにプラグが取り付けられた状態を示す。（第６実施形態）
【図３６】図36は、特許文献１の図１に相当する図である。
【発明を実施するための形態】
【０００９】
（第１実施形態）
以下、図１〜図８を参照しつつ、本願発明の第１実施形態を説明する。
【００１０】
図１及び図２に示すように、電線対基板コネクタ１は、電線２に取り付けられるプラグ３（第１端子）と、基板４のコネクタ搭載面５に搭載されるレセプタクル６（第２端子）と、を備えている。プラグ３及びレセプタクル６は、金属によって形成されている。プラグ３及びレセプタクル６は、板金折り曲げによって形成されている。プラグ３及びレセプタクル６は、インシュレータを有さない所謂インシュレータレス端子（ハウジングレス端子）である。そして、プラグ３をレセプタクル６へ嵌合させることで、電線２は基板４に対して電気的に接続される。
【００１１】
ここで、「電線方向」及び「コネクタ高さ方向」、「コネクタ幅方向」を定義する。図１に示すように、「電線方向」は、プラグ３をレセプタクル６へ嵌合させた際に、電線２のプラグ３近傍における長手方向となる方向である。本実施形態において、「電線方向」は、基板４のコネクタ搭載面５に対して平行に設定されている。「電線方向」のうち、電線２からプラグ３を見る方向を「電線プラグ方向」とし、プラグ３から電線２を見る方向を「プラグ電線方向」とする。「コネクタ高さ方向」は、基板４のコネクタ搭載面５に対して直交する方向である。「コネクタ高さ方向」のうち、基板４のコネクタ搭載面５に近づく方向を「基板近接方向」とし、基板４のコネクタ搭載面５から離れる方向を「基板離間方向」とする。「コネクタ幅方向」は、電線方向及びコネクタ高さ方向の何れにも直交する方向である。「コネクタ幅方向」のうち、電線対基板コネクタ１の中央に近づく方向を「コネクタ幅中央方向」とし、電線対基板コネクタ１の中央から離れる方向を「コネクタ幅反中央方向」とする。
【００１２】
図２に示すように、プラグ３をレセプタクル６へ嵌合させる方向としての嵌合方向Pは、基板４のコネクタ搭載面５に対して近づく方向である。従って、例えばレセプタクル６の周囲に他の部品が高い密度で配置されている場合、プラグ３をレセプタクル６へ嵌合させる際の作業性が良好である。本実施形態において、嵌合方向Pは、基板近接方向に一致している。従って、プラグ３をレセプタクル６へ嵌合させる際の作業性が一層良好である。
【００１３】
（基板４）
図１及び図２に示すように、基板４は、本実施形態において、例えば紙フェノール基板などのリジッド基板である。基板４は、リジッド基板に代えてフレキシブル基板でもよい。基板４のコネクタ搭載面５には、レセプタクル６がハンダ付けされる電極パッド７が形成されている。
【００１４】
（電線２）
図３に示すように、電線２は、中心導体としての撚り線８と絶縁被覆９によって構成されている。撚り線８は、絶縁被覆９によって被覆されている。電線２の中心導体は、撚り線８に代えて単線でもよい。
【００１５】
（プラグ３）
図３及び図４には、電線２が取り付けられた状態のプラグ３が示されている。図３及び図４に示すように、プラグ３は、電線方向に沿って細長く形成されている。プラグ３は、電線プラグ方向で順に、電線保持部１０及び電線接続部１１（中心導体保持部）、プラグ本体１２によって構成されている。プラグ３は、電線保持部１０及び電線接続部１１、プラグ本体１２を備えて一体的に形成されている。
【００１６】
電線保持部１０は、電線２の絶縁被覆９を圧着して保持する部分である。電線保持部１０は、底板部１５と一対の保持部１６によって構成されている。底板部１５は、コネクタ高さ方向に対して直交する平板状の部分である。一対の保持部１６は、底板部１５のコネクタ幅方向の両端部に接続し、基板離間方向に向かって突出している。各保持部１６の基板離間方向側の端部は、専用の圧着工具によって折り曲げられることで、コネクタ幅中央方向に向かって湾曲している。
【００１７】
電線接続部１１は、電線２の撚り線８を圧着して保持する部分である。電線接続部１１は、電線２の撚り線８に対して電気的に接続している。電線接続部１１は、底板部１７と一対の保持部１８によって構成されている。底板部１７は、コネクタ高さ方向に対して直交する平板状の部分である。底板部１７は、電線保持部１０の底板部１５の電線プラグ方向側の端部に接続している。一対の保持部１８は、底板部１７のコネクタ幅方向の両端部に接続し、基板離間方向に向かって突出している。各保持部１８は、専用の圧着工具によって折り曲げられることで、コネクタ幅中央方向に向かってC字状に湾曲している。各保持部１８は、基板離間方向側に膨らみ出るように湾曲している。
【００１８】
プラグ本体１２は、底板部１９と直立棒ガイド部２０、一対の接点梁２３、一対の押し込み板部２４、一対の接点片ガイド部２５によって構成されている。
【００１９】
底板部１９は、コネクタ高さ方向に対して直交する平板状の部分である。底板部１９は、電線接続部１１の底板部１７の電線プラグ方向側の端部に接続している。
【００２０】
直立棒ガイド部２０は、コネクタ高さ方向に対して直交する平板状の部分である。直立棒ガイド部２０は、底板部１９の電線プラグ方向側の端部に接続している。直立棒ガイド部２０には、直立棒ガイド孔部２２（ガイド孔部）が形成されている。直立棒ガイド孔部２２は、直立棒ガイド部２０の略中央部をコネクタ高さ方向に貫くように形成されている。
【００２１】
一対の接点梁２３、一対の押し込み板部２４、一対の接点片ガイド部２５は、コネクタ幅方向において左右対称の形状であるから、一方についてのみ説明し、他方の説明は省略する。
【００２２】
接点梁２３は、レセプタクル６に対する接点として機能する部分である。接点梁２３は、梁状に形成されている。接点梁２３は、片持ち梁状に形成されている。接点梁２３は、底板部１９によって支持された片持ち梁である。接点梁２３は、底板部１９のコネクタ幅方向の端部に接続し、底板部１９に対して直角に起立した姿勢となっている。接点梁２３は、底板部１９から見て、電線プラグ方向に延びて形成されている。接点梁２３は、電線プラグ方向で順に、基端部２３ａ及び傾斜部２３ｂ、先端部２３ｃによって構成されている。基端部２３ａは、底板部１９のコネクタ幅方向の端部に接続し、コネクタ幅方向に対して直交する平板状の部分である。傾斜部２３ｂは、基端部２３ａの電線プラグ方向側の端部に接続し、電線プラグ方向へ向かうにつれてコネクタ幅中央方向へ向かうように傾斜する平板状の部分である。先端部２３ｃは、傾斜部２３ｂの電線プラグ方向側の端部に接続し、コネクタ幅方向に対して直交する平板状の部分である。傾斜部２３ｂの存在により、一方の接点梁２３の基端部２３ａと他方の接点梁２３の基端部２３ａ間の距離と比較して、一方の接点梁２３の先端部２３ｃと他方の接点梁２３の先端部２３ｃ間の距離は小さい。また、一方の接点梁２３の先端部２３ｃと他方の接点梁２３の先端部２３ｃ間の距離は、レセプタクル６の板厚よりも小さくなるように設定されている。詳しくは、一方の接点梁２３の先端部２３ｃと他方の接点梁２３の先端部２３ｃ間の距離は、後述するレセプタクル６の接点片４７（図５を併せて参照）の板厚よりも小さくなるように設定されている。そして、基端部２３ａ及び傾斜部２３ｂの存在により、先端部２３ｃは、コネクタ幅反中央方向へ弾性変位可能となっている。
【００２３】
押し込み板部２４は、接点梁２３の基端部２３ａの基板離間方向側の端部に接続し、コネクタ幅中央方向に延びる平板状の部分である。押し込み板部２４は、コネクタ高さ方向に対して直交している。従って、押し込み板部２４は、接点梁２３を挟んで基板４と反対側に配置されていると言及することができる。一方の押し込み板部２４と他方の押し込み板部２４間の距離は可及的に小さく設定されている。
【００２４】
接点片ガイド部２５は、接点梁２３の先端部２３ｃの基板近接方向側の端部に接続し、基板近接方向に向かうにつれてコネクタ幅反中央方向に向かうように傾斜する平板状の部分である。
【００２５】
（レセプタクル６）
図５〜図７に示すように、レセプタクル６は、電線方向に細長く形成されている。レセプタクル６は、底板部４０と一対の側板部４１、直立棒４２（ガイド棒部）、接点ユニット４３、一対のガイド傾斜部４４（傾斜部）、一対のロックユニット４９によって構成されている。
【００２６】
底板部４０は、基板４のコネクタ搭載面５の電極パッド７（図１及び図２参照）にハンダ付けされる部分である。底板部４０は、コネクタ高さ方向に対して直交する平板状に形成されている。底板部４０は、矩形状であって、電線方向に沿って細長く形成されている。
【００２７】
一対の側板部４１は、コネクタ幅方向において左右対称の形状であるから、一方についてのみ説明し、他方の説明は省略する。側板部４１は、底板部４０の電線プラグ方向側の端部の、コネクタ幅方向における端部に接続し、基板離間方向に突出して形成されている。側板部４１は、底板部４０に対して直角に起立した姿勢となっている。即ち、側板部４１は、コネクタ幅方向に対して直交した姿勢である。側板部４１の電線方向における長さは、底板部４０の電線方向における長さの３分の１である。
【００２８】
直立棒４２は、レセプタクル６のコネクタ幅方向の中央に配置され、底板部４０から基板離間方向に延びて棒状に形成された部分である。直立棒４２は、底板部４０の電線プラグ方向側の端部を切り起こして形成されている。直立棒４２は、底板部４０に対して直角に起立した姿勢となっている。
【００２９】
接点ユニット４３は、プラグ３に対する接点として機能する部分である。接点ユニット４３は、底板部４０や一対の側板部４１、直立棒４２よりも、電線プラグ方向側に配置されている。接点ユニット４３は、一方の側板部４１に支持されている。接点ユニット４３は、ユニット基端部４５、ユニット中間部４６、接点片４７によって構成されている。ユニット基端部４５は、一方の側板部４１の電線プラグ方向側の端部に接続し、電線プラグ方向に延びる部分である。ユニット基端部４５は、コネクタ幅方向に対して直交している。ユニット中間部４６は、ユニット基端部４５の電線プラグ方向側の端部に接続し、コネクタ幅中央方向に延びる部分である。ユニット中間部４６は、電線方向に対して直交している。ユニット中間部４６は、レセプタクル６のコネクタ幅方向の中央に至るまで延びている。接点片４７は、ユニット中間部４６のコネクタ幅中央方向側の端部に接続し、プラグ電線方向に延びる部分である。接点片４７は、コネクタ幅方向に対して直交している。接点片４７の基板離間方向側の端部には、接点片４７の基板離間方向側の端部が基板離間方向に向かうにつれて先細るように、一対の傾斜面４８が形成されている。ユニット基端部４５及びユニット中間部４６、接点片４７の存在により、接点ユニット４３は、基板近接方向で見て、U字を構成している。そして、図６に示すように、接点ユニット４３の接点片４７は、底板部４０から離れて形成されている。また、図７に示すように、接点片４７は、レセプタクル６を基板４のコネクタ搭載面５の電極パッド７にハンダ付けした際に、接点片４７と電極パッド７との間に隙間ｇが形成されるように、底板部４０と比較して若干浮いた状態で一方の側板部４１に支持されている。端的に言えば、接点片４７は、底板部４０と比較して、基板４から遠くに配置されている。
【００３０】
一対のロックユニット４９は、ロック機構Rを構成する。一対のロックユニット４９は、コネクタ幅方向において左右対称の形状であるから、一方についてのみ説明し、他方の説明は省略する。
【００３１】
ロックユニット４９は、ロック梁５０と爪部５１によって構成されている。ロック梁５０は、側板部４１に支持された梁状に形成されている。ロック梁５０は、側板部４１に支持された片持ち梁状に形成されている。ロック梁５０は、側板部４１のプラグ電線方向側の端部に接続し、プラグ電線方向に延びる平板状の部分である。ロック梁５０は、コネクタ幅方向に対して直交している。図７に示すように、ロック梁５０のプラグ電線方向側の端部は、底板部４０のプラグ電線方向側の端部の近傍に位置している。爪部５１は、ロック梁５０のプラグ電線方向側の端部に接続し、コネクタ幅中央方向に突出して形成された部分である。爪部５１には、コネクタ幅中央方向に向かうにつれて基板近接方向に向かうように傾斜する傾斜面５１ａが形成されている。以上の構成で、爪部５１は、ロック梁５０の存在により、コネクタ幅反中央方向へ弾性変位可能となっている。
【００３２】
一対のガイド傾斜部４４は、コネクタ幅方向において左右対称の形状であるから、一方についてのみ説明し、他方の説明は省略する。ガイド傾斜部４４は、側板部４１の基板離間方向側の端部及びロック梁５０の基板離間方向側の端部に接続している。ガイド傾斜部４４は、電線方向に延びて形成されている。ガイド傾斜部４４は、コネクタ幅中央方向に向かうにつれて基板近接方向に向かうように傾斜している。即ち、一対のガイド傾斜部４４は、基板離間方向に向かうにつれて相互に離れるように傾斜している。
【００３３】
（嵌合作業）
次に、プラグ３をレセプタクル６へ嵌合させる嵌合作業について説明する。参考までに、図８には、プラグ３がレセプタクル６へ嵌合した状態を示している。
【００３４】
先ず、図２に示すように、プラグ３に電線２を取り付けた上で、プラグ３をレセプタクル６へ向けて移動させる。プラグ３のレセプタクル６への移動方向は、前述した嵌合方向Pで示される。このとき、図４に示す直立棒ガイド孔部２２内に、図５に示す直立棒４２が挿入されるように、プラグ３をレセプタクル６へ向けて移動させる。
【００３５】
すると、図５に示すレセプタクル６の一対のガイド傾斜部４４の存在により、レセプタクル６に対するプラグ３のコネクタ幅方向における位置が自動的に調整される。このようにレセプタクル６に対するプラグ３のコネクタ幅方向における位置が調整された状態で、プラグ３をレセプタクル６に対して電線方向に往復移動させることで、又は目視により、直立棒４２の基板離間方向側の端部が直立棒ガイド孔部２２内に挿入され、もって、レセプタクル６に対するプラグ３の電線方向及びコネクタ幅方向における位置が決まる。これと略時を同じくして、図４の一対の接点片ガイド部２５が図５の接点片４７の一対の傾斜面４８に接触すると共に、図４の電線接続部１１の底板部１７が図５の一対の爪部５１の傾斜面５１ａに接触する。
【００３６】
この状態で、図３のプラグ本体１２の一対の押し込み板部２４を用いてプラグ３を基板近接方向に押し込むと、プラグ３とレセプタクル６は以下のように挙動する。
【００３７】
(1)図４のプラグ３のプラグ本体１２が、図５のレセプタクル６の一対の側板部４１間に嵌め込まれる。この結果、レセプタクル６の一対の側板部４１は、プラグ３のプラグ本体１２をコネクタ幅方向で挟む。
【００３８】
(2)図５の直立棒４２が、図４の直立棒ガイド孔部２２内に深く挿入される。
【００３９】
(3)図５の接点片４７が、図４の一対の接点梁２３の弾性変形を伴って、一対の接点梁２３の先端部２３ｃ間に圧入される。この結果、レセプタクル６の接点片４７に対してプラグ３の一対の接点梁２３の先端部２３ｃが接点梁２３のバネ復元力により確実に接触する。
【００４０】
(4)図４の電線接続部１１が、図５の一対の傾斜面５１ａを介して、一対のロック梁５０を押し広げ、一対の爪部５１がコネクタ幅反中央方向に弾性変位し、やがて、電線接続部１１が一対の爪部５１を乗り越えると、一対の爪部５１がコネクタ幅中央方向へ復帰し、電線接続部１１が、一対の爪部５１に引っ掛かる。この結果、電線２が基板離間方向に引っ張られた際の、プラグ３のレセプタクル６からの離脱が防止される。
【００４１】
以上に、本願発明の好適な第１実施形態を説明したが、上記第１実施形態は、以下の特長を有している。
【００４２】
（１）電線２に取り付けられるプラグ３（第１端子）と、基板４のコネクタ搭載面５に搭載されるレセプタクル６（第２端子）と、を備え、プラグ３及びレセプタクル６は金属によって形成されており、プラグ３をレセプタクル６へ嵌合させることで電線２を基板４に対して接続する、電線対基板コネクタ１は、以下のように構成されている。プラグ３をレセプタクル６へ嵌合させた際に、電線２のプラグ３近傍における長手方向となる方向としての電線方向は、基板４のコネクタ搭載面５に対して平行である。プラグ３をレセプタクル６へ嵌合させる方向としての嵌合方向Pは、基板４のコネクタ搭載面５に対して近づく方向である。以上の構成によれば、プラグ３をレセプタクル６へ嵌合させる際の作業性がよい。
【００４３】
（２）また、嵌合方向Pは、基板４のコネクタ搭載面５に対して直交する方向である。以上の構成によれば、プラグ３をレセプタクル６へ嵌合させる際の作業性が一層よい。
【００４４】
（１０）また、レセプタクル６に、レセプタクル６からのプラグ３の離脱を防止するロック機構Rが形成されている。本実施形態において、ロック機構Rは、一対のロックユニット４９によって実現されている。ロック機構Rは、レセプタクル６に形成することに代えて、プラグ３に形成してもよく、プラグ３とレセプタクル６の両方に形成してもよい。
【００４５】
（３）また、レセプタクル６は、基板４のコネクタ搭載面５に対して対向する底板部４０と、レセプタクル６へ嵌合したプラグ３を、電線方向に対して直交する方向としてのコネクタ幅方向（電線直交方向）で挟む一対の側板部４１と、を有する。以上の構成によれば、レセプタクル６に対するプラグ３のコネクタ幅方向での遊びが少なくなり、プラグ３がレセプタクル６によって確実に保持される。
【００４６】
（４）また、レセプタクル６は、基板４のコネクタ搭載面５から離れるように延びる直立棒４２（ガイド棒部）を有する。プラグ３には、直立棒４２が挿入される直立棒ガイド孔部２２（ガイド孔部）が形成されている。以上の構成によれば、プラグ３をレセプタクル６へ嵌合させる際に、レセプタクル６に対するプラグ３の位置決め効果が発揮される。また、以上の構成によれば、プラグ３のレセプタクル６からの電線方向における抜けが防止される。
【００４７】
（５）また、プラグ３は、一対の梁状の接点梁２３を有する。レセプタクル６は、一対の接点梁２３の間に圧入される接点片４７を有する。以上の構成によれば、プラグ３とレセプタクル６との確実な接触が実現される。
【００４８】
（６）また、一対の接点梁２３は、片持ち梁状に形成されている。
【００４９】
（７）また、接点片４７は、底板部４０から離れて形成されている。以上の構成によれば、レセプタクル６の底板部４０を基板４のコネクタ搭載面５に対してハンダ付けする場合、接点片４７がハンダによって汚されることがない。
【００５０】
（８）また、接点片４７は、一対の側板部４１のうち何れか一方の側板部４１に支持されている。
【００５１】
（９）また、プラグ３は、一対の接点梁２３を挟んで基板４と反対側に配置され、嵌合方向に対して直交する平板状の押し込み板部２４を有する。以上の構成によれば、プラグ３をレセプタクル６へ嵌合させるに際し、押し込み板部２４を利用してプラグ３をレセプタクル６に向かって押し込めるので、作業性がよくなる。
【００５２】
（１１）また、レセプタクル６は、一対の側板部４１に夫々支持されると共に、電線方向に梁状に延びる一対のロック梁５０と、一対のロック梁５０に夫々支持されると共に、相互に近づくように突出する一対の爪部５１と、を有する。プラグ３をレセプタクル６へ嵌合させるとプラグ３がレセプタクル６の一対の爪部５１に引っ掛かるように構成される。一対のロック梁５０と一対の爪部５１は、ロック機構Rを構成している。以上の構成によれば、一対の爪部５１が弾性変位可能に支持されるので、プラグ３をレセプタクル６へ押し込むだけで、プラグ３がレセプタクル６によってロックされることになる。
【００５３】
（１２）また、プラグ３は、電線２の撚り線８（中心導体）を保持する電線接続部１１（中心導体保持部）を有する。プラグ３をレセプタクル６へ嵌合させるとプラグ３の電線接続部１１がレセプタクル６の一対の爪部５１に引っ掛かるように構成されている。
【００５４】
（１３）また、レセプタクル６は、一対の側板部４１に夫々接続し、基板４のコネクタ搭載面５から離れるにつれて相互に離れるように傾斜する、一対のガイド傾斜部４４（傾斜部）を有する。以上の構成によれば、プラグ３をレセプタクル６へ嵌合させる際に、プラグ３をレセプタクル６の一対の側板部４１間へと誘導する位置決め効果が発揮される。
【００５５】
（第２実施形態）
次に、図９及び図１０を参照しつつ、本願発明の第２実施形態を説明する。ここでは、本実施形態が上記第１実施形態と異なる点を中心に説明し、重複する説明は適宜省略する。また、上記第１実施形態の各構成要素に対応する構成要素には原則として同一の符号を付すこととする。
【００５６】
本実施形態のプラグ３は、第１実施形態のプラグ３と同一であるから、その説明は省略する。
【００５７】
（レセプタクル６）
図９に示すように、レセプタクル６は、電線方向に細長く形成されている。レセプタクル６は、底板部１４０と一対の側板部１４１、直立棒１４２（ガイド棒部）、接点ユニット１４３、一対のガイド傾斜部１４４（傾斜部）、一対のロックユニット１４９によって構成されている。
【００５８】
底板部１４０は、基板４のコネクタ搭載面５の電極パッド７（図１及び図２参照）にハンダ付けされる部分である。底板部１４０は、コネクタ高さ方向に対して直交する平板状に形成されている。底板部１４０は、矩形状であって、電線方向に沿って細長く形成されている。
【００５９】
一対の側板部１４１は、コネクタ幅方向において左右対称の形状であるから、一方についてのみ説明し、他方の説明は省略する。側板部１４１は、底板部１４０のコネクタ幅方向における端部に接続し、基板離間方向に突出して形成されている。側板部１４１は、底板部１４０のプラグ電線方向側の端部と電線プラグ方向側の端部に接続している。底板部１４０のプラグ電線方向側の端部と電線プラグ方向側の端部の間において、側板部１４１と底板部１４０は相互に接続しておらず、側板部１４１と底板部１４０の間にスリットｓが形成されている。このスリットｓにより、側板部１４１は、コネクタ幅反中央方向に倒れるように弾性変形容易となっている。側板部１４１は、底板部１４０に対して直角に起立した姿勢となっている。即ち、側板部１４１は、コネクタ幅方向に対して直交した姿勢である。側板部１４１の電線方向における長さは、底板部１４０の電線方向における長さに等しい。
【００６０】
直立棒１４２は、レセプタクル６のコネクタ幅方向の中央に配置され、底板部１４０から基板離間方向に延びて棒状に形成された部分である。直立棒１４２は、底板部１４０の電線プラグ方向側の端部を切り起こして形成されている。直立棒１４２は、底板部１４０に対して直角に起立した姿勢となっている。
【００６１】
接点ユニット１４３は、プラグ３に対する接点として機能する部分である。接点ユニット１４３は、底板部１４０や一対の側板部１４１、直立棒１４２よりも、電線プラグ方向側に配置されている。接点ユニット１４３は、一方の側板部１４１に支持されている。接点ユニット１４３は、ユニット基端部１４５、ユニット中間部１４６、接点片１４７によって構成されている。ユニット基端部１４５は、一方の側板部１４１の電線プラグ方向側の端部に接続し、電線プラグ方向に延びる部分である。ユニット基端部１４５は、コネクタ幅方向に対して直交している。ユニット中間部１４６は、ユニット基端部１４５の電線プラグ方向側の端部に接続し、コネクタ幅中央方向に延びる部分である。ユニット中間部１４６は、電線方向に対して直交している。ユニット中間部１４６は、レセプタクル６のコネクタ幅方向の中央に至るまで延びている。接点片１４７は、ユニット中間部１４６のコネクタ幅中央方向側の端部に接続し、プラグ電線方向に延びる部分である。接点片１４７は、コネクタ幅方向に対して直交している。接点片１４７の基板離間方向側の端部には、接点片１４７の基板離間方向側の端部が基板離間方向に向かうにつれて先細るように、一対の傾斜面１４８が形成されている。ユニット基端部１４５及びユニット中間部１４６、接点片１４７の存在により、接点ユニット１４３は、基板近接方向で見て、U字を構成している。そして、接点ユニット１４３の接点片１４７は、底板部１４０から離れて形成されている（図６を併せて参照）。また、接点片１４７は、レセプタクル６を基板４のコネクタ搭載面５の電極パッド７にハンダ付けした際に、接点片１４７と電極パッド７との間に隙間ｇ（図７を併せて参照）が形成されるように、底板部１４０と比較して若干浮いた状態で一方の側板部１４１に支持されている。端的に言えば、接点片１４７は、底板部１４０と比較して、基板４から遠くに配置されている。
【００６２】
一対のロックユニット１４９は、ロック機構Rを構成している。一対のロックユニット１４９は、コネクタ幅方向において左右対称の形状であるから、一方についてのみ説明し、他方の説明は省略する。
【００６３】
ロックユニット１４９は、起立部１５３と湾曲部１５４、傾斜部１５５によって構成されている。起立部１５３は、側板部１４１の基板離間方向側の端部に接続し、基板離間方向に延びる平板状の部分である。起立部１５３は、コネクタ幅方向に対して直交している。起立部１５３は、側板部１４１の電線方向における中央よりも若干プラグ電線方向側に配置されている。湾曲部１５４は、起立部１５３の基板離間方向側の端部に接続し、コネクタ幅中央方向へ向かって湾曲する部分である。傾斜部１５５は、湾曲部１５４のコネクタ幅中央方向側の端部に接続し、コネクタ幅中央方向へ向かうにつれて基板近接方向に向かうように傾斜する部分である。傾斜部１５５には、コネクタ幅中央方向へ向かうにつれて基板近接方向に向かうように傾斜する傾斜面１５５ａが形成されている。以上の構成で、傾斜部１５５（傾斜面１５５ａ）は、湾曲部１５４の存在により、コネクタ幅反中央方向へ弾性変位可能となっている。ロックユニット１４９は、プラグ３をレセプタクル６に嵌合させる際に、プラグ３の電線接続部１１（図３を併せて参照）と接触するように配置されている。
【００６４】
一対のガイド傾斜部１４４は、コネクタ幅方向において左右対称の形状であるから、一方についてのみ説明し、他方の説明は省略する。ガイド傾斜部１４４は、側板部１４１の基板離間方向側の端部に接続し、電線方向に延びて形成されている。ガイド傾斜部１４４は、ロックユニット１４９よりも電線プラグ方向側に配置されている。ガイド傾斜部１４４は、コネクタ幅中央方向に向かうにつれて基板近接方向に向かうように傾斜している。即ち、一対のガイド傾斜部１４４は、基板離間方向に向かうにつれて相互に離れるように傾斜している。
【００６５】
（嵌合作業）
次に、プラグ３をレセプタクル６へ嵌合させる嵌合作業について説明する。参考までに、図１０には、プラグ３がレセプタクル６へ嵌合した状態を示している。
【００６６】
先ず、プラグ３に電線２を取り付けた上で（図２を併せて参照）、プラグ３をレセプタクル６へ向けて移動させる。プラグ３のレセプタクル６への移動方向は、前述した嵌合方向Pで示される。このとき、図４に示す直立棒ガイド孔部２２内に、図９に示す直立棒１４２が挿入されるように、プラグ３をレセプタクル６へ向けて移動させる。
【００６７】
すると、レセプタクル６の一対のガイド傾斜部１４４の存在により、レセプタクル６に対するプラグ３のコネクタ幅方向における位置が自動的に調整される。このようにレセプタクル６に対するプラグ３のコネクタ幅方向における位置が調整された状態で、プラグ３をレセプタクル６に対して電線方向に往復移動させることで、直立棒１４２の基板離間方向側の端部が直立棒ガイド孔部２２内に挿入され、もって、レセプタクル６に対するプラグ３の電線方向及びコネクタ幅方向における位置が決まる。これと略時を同じくして、図４の一対の接点片ガイド部２５が図９の接点片１４７の一対の傾斜面１４８に接触すると共に、図４の電線接続部１１の底板部１７が図９の一対の傾斜面１５５ａに接触する。
【００６８】
この状態で、図３のプラグ本体１２の一対の押し込み板部２４を用いてプラグ３を基板近接方向に押し込むと、プラグ３とレセプタクル６は以下のように挙動する。
【００６９】
(1)図４のプラグ３のプラグ本体１２が、図９のレセプタクル６の一対の側板部１４１間に嵌め込まれる。この結果、レセプタクル６の一対の側板部１４１は、プラグ３のプラグ本体１２をコネクタ幅方向で挟む。
【００７０】
(2)図９の直立棒１４２が、図４の直立棒ガイド孔部２２内に深く挿入される。
【００７１】
(3)図９の接点片１４７が、図４の一対の接点梁２３の弾性変形を伴って、一対の接点梁２３の先端部２３ｃ間に圧入される。この結果、レセプタクル６の接点片１４７に対してプラグ３の一対の接点梁２３の先端部２３ｃが接点梁２３のバネ復元力により確実に接触する。
【００７２】
(4)図４の電線接続部１１が、図９の一対の傾斜面１５５ａを介して、一対の傾斜部１５５を押し広げ、一対の傾斜部１５５がコネクタ幅反中央方向に弾性変位し、やがて、電線接続部１１が一対の傾斜面１５５ａを乗り越えると、一対の傾斜部１５５がコネクタ幅中央方向へ復帰し、電線接続部１１が、一対の傾斜部１５５に引っ掛かる。この結果、電線２が基板離間方向に引っ張られた際の、プラグ３のレセプタクル６からの離脱が防止される。なお、図９に示すスリットｓの存在により側板部１４１がコネクタ幅反中央方向に倒れるように弾性変形容易となっているので、一対の傾斜部１５５はコネクタ幅反中央方向に一層、弾性変位し易くなっている。
【００７３】
（第３実施形態）
次に、図１１〜図１５を参照しつつ、本願発明の第３実施形態を説明する。ここでは、本実施形態が上記第１実施形態と異なる点を中心に説明し、重複する説明は適宜省略する。また、上記第１実施形態の各構成要素に対応する構成要素には原則として同一の符号を付すこととする。
【００７４】
（プラグ３）
図１１及び図１２には、電線２が取り付けられた状態のプラグ３が示されている。図１１及び図１２に示すように、プラグ３は、電線方向に沿って細長く形成されている。プラグ３は、電線プラグ方向で順に、電線保持部２１０及び電線接続部２１１（中心導体保持部）、プラグ本体２１２によって構成されている。プラグ３は、電線保持部２１０及び電線接続部２１１、プラグ本体２１２を備えて一体的に形成されている。
【００７５】
電線保持部２１０は、電線２の絶縁被覆９を圧着して保持する部分である。電線保持部２１０は、底板部２１５と一対の保持部２１６によって構成されている。底板部２１５は、コネクタ高さ方向に対して直交する平板状の部分である。一対の保持部２１６は、底板部２１５のコネクタ幅方向の両端部に接続し、基板近接方向に向かって突出している。各保持部２１６の基板近接方向側の端部は、専用の圧着工具によって折り曲げられることで、コネクタ幅中央方向に向かって湾曲している。
【００７６】
電線接続部２１１は、電線２の撚り線８を圧着して保持する部分である。電線接続部２１１は、電線２の撚り線８に対して電気的に接続している。電線接続部２１１は、底板部２１７と一対の保持部２１８によって構成されている。底板部２１７は、コネクタ高さ方向に対して直交する平板状の部分である。底板部２１７は、電線保持部２１０の底板部２１５の電線プラグ方向側の端部に接続している。一対の保持部２１８は、底板部２１７のコネクタ幅方向の両端部に接続し、基板近接方向に向かって突出している。各保持部２１８は、専用の圧着工具によって折り曲げられることで、コネクタ幅中央方向に向かって湾曲している。各保持部２１８は、基板離間方向側に膨らみ出るように湾曲している。
【００７７】
プラグ本体２１２は、底板部２１９と押し込み板部２２０、一対の接点梁２２３、一対の直立棒ガイド部２２４、一対のロックユニット２２５、一対の接点片ガイド部２２６によって構成されている。
【００７８】
底板部２１９は、コネクタ高さ方向に対して直交する平板状の部分である。底板部２１９は、電線接続部２１１の底板部２１７の電線プラグ方向側の端部に接続している。
【００７９】
押し込み板部２２０は、コネクタ高さ方向に対して直交する平板状の部分である。押し込み板部２２０は、底板部２１９の電線プラグ方向側の端部に接続している。
【００８０】
一対の接点梁２２３、一対の直立棒ガイド部２２４、一対のロックユニット２２５、一対の接点片ガイド部２２６は、コネクタ幅方向において左右対称の形状であるから、一方についてのみ説明し、他方の説明は省略する。
【００８１】
接点梁２２３は、レセプタクル６に対する接点として機能する部分である。接点梁２２３は、梁状に形成されている。接点梁２２３は、片持ち梁状に形成されている。接点梁２２３は、底板部２１９によって支持された片持ち梁である。接点梁２２３は、底板部２１９のコネクタ幅方向の端部に接続し、底板部２１９に対して直角に起立した姿勢となっている。接点梁２２３は、底板部２１９から見て、電線プラグ方向に延びて形成されている。接点梁２２３は、電線プラグ方向で順に、基端部２２３ａ及び傾斜部２２３ｂ、先端部２２３ｃによって構成されている。基端部２２３ａは、底板部２１９のコネクタ幅方向の端部に接続し、コネクタ幅方向に対して直交する平板状の部分である。傾斜部２２３ｂは、基端部２２３ａの電線プラグ方向側の端部に接続し、電線プラグ方向へ向かうにつれてコネクタ幅中央方向へ向かうように傾斜する平板状の部分である。先端部２２３ｃは、傾斜部２２３ｂの電線プラグ方向側の端部に接続し、コネクタ幅方向に対して直交する平板状の部分である。傾斜部２２３ｂの存在により、一方の接点梁２２３の基端部２２３ａと他方の接点梁２２３の基端部２２３ａ間の距離と比較して、一方の接点梁２２３の先端部２２３ｃと他方の接点梁２２３の先端部２２３ｃ間の距離は小さい。また、一方の接点梁２２３の先端部２２３ｃと他方の接点梁２２３の先端部２２３ｃ間の距離は、レセプタクル６の板厚よりも小さくなるように設定されている。そして、基端部２２３ａ及び傾斜部２２３ｂの存在により、先端部２２３ｃは、コネクタ幅反中央方向へ弾性変位可能となっている。接点梁２２３は、コネクタ高さ方向において、押し込み板部２２０と基板４との間に配置されている。即ち、押し込み板部２２０は、接点梁２２３を挟んで基板４と反対側に配置されていると言及できる。
【００８２】
直立棒ガイド部２２４は、接点梁２２３の基端部２２３ａの基板近接方向側の端部に接続し、電線プラグ方向に延びる平板状の部分である。直立棒ガイド部２２４は、コネクタ高さ方向に対して直交している。直立棒ガイド部２２４のコネクタ幅中央方向側の端部には、コネクタ幅中央方向に開口する切り欠き２２４ａが形成されている。そして、一方の直立棒ガイド部２２４と他方の直立棒ガイド部２２４間の距離は可及的に小さく設定されている。一方の直立棒ガイド部２２４の切り欠き２２４ａと他方の直立棒ガイド部２２４の切り欠き２２４ａによって、直立棒ガイド孔部２２２（ガイド孔部）が構成されている。
【００８３】
ロックユニット２２５は、ロック梁２２７と爪部２２８によって構成されている。ロック梁２２７は、接点梁２２３の基端部２２３ａに接続し、基板近接方向に棒状に延びる部分である。ロック梁２２７は、基端部２２３ａに支持された片持ち梁状に形成されている。爪部２２８は、ロック梁２２７の基板近接方向側の端部に接続し、プラグ電線方向に向かって突出する部分である。
【００８４】
接点片ガイド部２２６は、接点梁２２３の先端部２２３ｃの基板近接方向側の端部に接続し、基板近接方向に向かうにつれてコネクタ幅反中央方向に向かうように傾斜する平板状の部分である。
【００８５】
（レセプタクル６）
図１３及び図１４に示すように、レセプタクル６は、電線方向に細長く形成されている。レセプタクル６は、底板部２４０と一対の側板部２４１、直立棒２４２（ガイド棒部）、接点ユニット２４３によって構成されている。
【００８６】
底板部２４０は、基板４のコネクタ搭載面５の電極パッド７（図１及び図２参照）にハンダ付けされる部分である。底板部２４０は、電線方向に細長く形成されている。底板部２４０は、電線プラグ方向で順に、第１ハンダ付け部２４０ａとロック板部２４０ｂ、第２ハンダ付け部２４０ｃによって構成されている。第１ハンダ付け部２４０ａは、コネクタ高さ方向に対して直交する平板状に形成されている。ロック板部２４０ｂは、第１ハンダ付け部２４０ａの電線プラグ方向側の端部に接続し、第１ハンダ付け部２４０ａと比較して基板離間方向側に若干隆起し、コネクタ高さ方向に対して直交する平板状に形成されている。ロック板部２４０ｂのコネクタ幅方向における両端部には、一対のロック孔部２４０ｄが形成されている。第２ハンダ付け部２４０ｃは、ロック板部２４０ｂの電線プラグ方向側の端部に接続し、ロック板部２４０ｂと比較して基板近接方向側に若干窪み、コネクタ高さ方向に対して直交する平板状に形成されている。第１ハンダ付け部２４０ａ及び第２ハンダ付け部２４０ｃは、基板４のコネクタ搭載面５の電極パッド７にハンダ付けされる。
【００８７】
一対の側板部２４１は、コネクタ幅方向において左右対称の形状であるから、一方についてのみ説明し、他方の説明は省略する。側板部２４１は、底板部２４０の第２ハンダ付け部２４０ｃのコネクタ幅方向における端部に接続し、基板離間方向に突出して形成されている。側板部２４１は、底板部２４０に対して直角に起立した姿勢となっている。即ち、側板部２４１は、コネクタ幅方向に対して直交した姿勢である。
【００８８】
直立棒２４２は、レセプタクル６のコネクタ幅方向の中央に配置され、底板部２４０から基板離間方向に延びて棒状に形成された部分である。直立棒２４２は、底板部２４０の第２ハンダ付け部２４０ｃの電線プラグ方向側の端部を切り起こして形成されている。直立棒２４２は、底板部２４０の第２ハンダ付け部２４０ｃに対して直角に起立した姿勢となっている。
【００８９】
接点ユニット２４３は、プラグ３に対する接点として機能する部分である。接点ユニット２４３は、底板部２４０や一対の側板部２４１、直立棒２４２よりも、電線プラグ方向側に配置されている。接点ユニット２４３は、一方の側板部２４１に支持されている。接点ユニット２４３は、ユニット基端部２４５、ユニット中間部２４６、接点片２４７によって構成されている。ユニット基端部２４５は、一方の側板部２４１の電線プラグ方向側の端部に接続し、電線プラグ方向に延びる部分である。ユニット基端部２４５は、コネクタ幅方向に対して直交している。ユニット中間部２４６は、ユニット基端部２４５の電線プラグ方向側の端部に接続し、コネクタ幅中央方向に延びる部分である。ユニット中間部２４６は、電線方向に対して直交している。ユニット中間部２４６は、レセプタクル６のコネクタ幅方向の中央に至るまで延びている。接点片２４７は、ユニット中間部２４６のコネクタ幅中央方向側の端部に接続し、プラグ電線方向に延びる部分である。接点片２４７は、コネクタ幅方向に対して直交している。接点片２４７の基板離間方向側の端部には、接点片２４７の基板離間方向側の端部が基板離間方向に向かうにつれて先細るように、一対の傾斜面２４８が形成されている。ユニット基端部２４５及びユニット中間部２４６、接点片２４７の存在により、接点ユニット２４３は、基板近接方向で見て、U字を構成している。そして、図１４に示すように、接点ユニット２４３の接点片２４７は、底板部２４０から離れて形成されている。また、接点片２４７は、レセプタクル６を基板４のコネクタ搭載面５の電極パッド７にハンダ付けした際に、接点片２４７と電極パッド７との間に隙間ｇ（図７を併せて参照）が形成されるように、底板部２４０と比較して若干浮いた状態で一方の側板部２４１に支持されている。端的に言えば、接点片２４７は、底板部２４０と比較して、基板４から遠くに配置されている。
【００９０】
（嵌合作業）
次に、プラグ３をレセプタクル６へ嵌合させる嵌合作業について説明する。参考までに、図１５には、プラグ３がレセプタクル６へ嵌合した状態を示している。
【００９１】
先ず、図２に示すように、プラグ３に電線２を取り付けた上で、プラグ３をレセプタクル６へ向けて移動させる。プラグ３のレセプタクル６への移動方向は、前述した嵌合方向Pで示される。このとき、図１２に示す直立棒ガイド孔部２２２内に、図１３に示す直立棒２４２が挿入されるように、プラグ３をレセプタクル６へ向けて移動させる。
【００９２】
図１２に示す直立棒ガイド孔部２２２内に、図１３に示す直立棒２４２が挿入されると、レセプタクル６に対するプラグ３の電線方向及びコネクタ幅方向における位置が決まる。これと略時を同じくして、図１２の一対の接点片ガイド部２２６が図１３の接点片２４７の一対の傾斜面２４８に接触すると共に、図１１の一対のロックユニット２２５の爪部２２８が、図１３の一対のロック板部２４０ｂのロック孔部２４０ｄの周縁に接触する。
【００９３】
この状態で、図１１のプラグ本体１２の押し込み板部２２０を用いてプラグ３を基板近接方向に押し込むと、プラグ３とレセプタクル６は以下のように挙動する。
【００９４】
(1)図１１のプラグ３のプラグ本体２１２が、図１３のレセプタクル６の一対の側板部２４１間に嵌め込まれる。この結果、レセプタクル６の一対の側板部２４１は、プラグ３のプラグ本体２１２をコネクタ幅方向で挟む。
【００９５】
(2)図１３の直立棒２４２が、図１２の直立棒ガイド孔部２２２内に深く挿入される。
【００９６】
(3)図１３の接点片２４７が、図１２の一対の接点梁２２３の弾性変形を伴って、一対の接点梁２２３の先端部２２３ｃ間に圧入される。この結果、レセプタクル６の接点片２４７に対してプラグ３の一対の接点梁２２３の先端部２２３ｃが接点梁２２３のバネ復元力により確実に接触する。
【００９７】
(4)図１２の各ロックユニット２２５の爪部２２８が、各ロックユニット２２５のロック梁２２７の弾性変形を伴って、図１３の底板部２４０のロック板部２４０ｂの各ロック孔部２４０ｄ内に進入し、やがて、各爪部２２８が各ロック孔部２４０ｄの周縁に引っ掛かる。この結果、電線２が基板離間方向に引っ張られた際の、プラグ３のレセプタクル６からの離脱が防止される。本実施形態において、ロック機構Rは、爪部２２８とロック孔部２４０ｄによって構成されている。
【００９８】
（第４実施形態）
次に、図１６〜図２６を参照しつつ、本願発明の第４実施形態を説明する。ここでは、本実施形態が上記第１実施形態と異なる点を中心に説明し、重複する説明は適宜省略する。
【００９９】
図１６及び図１７に示すように、電線対基板コネクタ１は、電線２に取り付けられるプラグ３と、基板４のコネクタ搭載面５に搭載されるレセプタクル６と、を備えている。プラグ３及びレセプタクル６は、金属によって形成されている。プラグ３及びレセプタクル６は、板金折り曲げによって形成されている。プラグ３及びレセプタクル６は、インシュレータを有さない所謂インシュレータレス端子（ハウジングレス端子）である。そして、プラグ３をレセプタクル６へ嵌合させることで、電線２は基板４に対して電気的に接続される。
【０１００】
図１７に示すように、プラグ３をレセプタクル６へ嵌合させる方向としての嵌合方向Pは、基板４のコネクタ搭載面５に対して近づく方向である。従って、プラグ３をレセプタクル６へ嵌合させる際の作業性が良好である。本実施形態において、嵌合方向Pは、基板近接方向に一致している。従って、プラグ３をレセプタクル６へ嵌合させる際の作業性が一層良好である。
【０１０１】
（プラグ３）
図１８及び図１９には、電線２が取り付けられた状態のプラグ３が示されている。図１８及び図１９に示すように、プラグ３は、電線方向に沿って細長く形成されている。プラグ３は、電線プラグ方向で順に、電線保持部３１０及び電線接続部３１１（中心導体保持部）、プラグ本体３１２によって構成されている。プラグ３は、電線保持部３１０及び電線接続部３１１、プラグ本体３１２を備えて一体的に形成されている。
【０１０２】
電線保持部３１０は、電線２の絶縁被覆９を圧着して保持する部分である。電線保持部３１０は、底板部３１５と一対の保持部３１６によって構成されている。底板部３１５は、コネクタ高さ方向に対して直交する平板状の部分である。一対の保持部３１６は、底板部３１５のコネクタ幅方向の両端部に接続し、基板近接方向に向かって突出している。各保持部３１６の基板近接方向側の端部は、専用の圧着工具によって折り曲げられることで、コネクタ幅中央方向に向かって湾曲している。
【０１０３】
電線接続部３１１は、電線２の撚り線８を圧着して保持する部分である。電線接続部３１１は、電線２の撚り線８に対して電気的に接続している。電線接続部３１１は、底板部３１７と一対の保持部３１８によって構成されている。底板部３１７は、コネクタ高さ方向に対して直交する平板状の部分である。底板部３１７は、電線保持部３１０の底板部３１５の電線プラグ方向側の端部に接続している。一対の保持部３１８は、底板部３１７のコネクタ幅方向の両端部に接続し、基板近接方向に向かって突出している。各保持部３１８は、専用の圧着工具によって折り曲げられることで、コネクタ幅中央方向に向かってC字状に湾曲している。各保持部３１８は、基板近接方向側に膨らみ出るように湾曲している。
【０１０４】
プラグ本体３１２は、底板部３１９と一対の接点梁３２０、一対の突出部３２７によって構成されている。
【０１０５】
底板部３１９は、電線接続部３１１の底板部３１７の電線プラグ方向側の端部に接続し、電線プラグ方向に延びる平板状の部分である。底板部３１９は、コネクタ高さ方向に対して直交している。底板部３１９のコネクタ幅方向における中央には、電線方向に延びるスリット３２１が形成されている。底板部３１９は、スリット３２１の電線プラグ方向側を区画する先端内壁面３２１ａと、スリット３２１のプラグ電線方向側を区画する基端内壁面３２１ｂと、を有する。
【０１０６】
一対の接点梁３２０、一対の突出部３２７は、コネクタ幅方向において左右対称の形状であるから、一方についてのみ説明し、他方の説明は省略する。
【０１０７】
接点梁３２０は、レセプタクル６に対する接点として機能する部分である。接点梁３２０は、梁状に形成されている。接点梁３２０は、片持ち梁状に形成されている。接点梁３２０は、底板部３１９によって支持された片持ち梁である。接点梁３２０は、底板部３１９のコネクタ幅方向の端部に接続し、底板部３１９に対して直角に起立した姿勢となっている。接点梁３２０は、基板離間方向で見て、プラグ電線方向に向かって開口するＵ字状に形成された片持ち梁である。接点梁３２０は、側板部３２２、湾曲部３２３、傾斜部３２４、接点部３２５によって構成されている。
【０１０８】
側板部３２２は、底板部３１９のコネクタ幅方向の端部に接続し、電線プラグ方向に延びる部分である。側板部３２２は、コネクタ幅方向に対して直交している。図２０に示すように、側板部３２２のプラグ電線方向寄りには、矩形状のロック孔部３２６が形成されている。側板部３２２は、ロック孔部３２６の基板近接方向側を区画する基板側内壁面３２６ａ、ロック孔部３２６の電線プラグ方向側を区画するプラグ側内壁面３２６ｂ、ロック孔部３２６のプラグ電線方向側を区画する電線側内壁面３２６ｃを有している。基板側内壁面３２６ａは、電線プラグ方向に向かうにつれて基板近接方向に向かうように傾斜して形成されている。プラグ側内壁面３２６ｂ及び電線側内壁面３２６ｃは、電線方向に対して直交している。
【０１０９】
湾曲部３２３は、側板部３２２の電線プラグ方向側の端部に接続し、コネクタ幅中央方向へ向かってC字状に湾曲する部分である。
【０１１０】
傾斜部３２４は、湾曲部３２３の側板部３２２と反対側の端部に接続し、プラグ電線方向に延びる部分である。傾斜部３２４は、基板離間方向で見たときに、プラグ電線方向に向かうにつれてコネクタ幅中央方向に向かうように傾斜している。
【０１１１】
接点部３２５は、傾斜部３２４のプラグ電線方向側の端部に接続し、プラグ電線方向に延びる部分である。一方の接点梁３２０の接点部３２５と他方の接点梁３２０の接点部３２５間の距離は、レセプタクル６の板厚よりも小さくなるように設定されている。そして、傾斜部３２４及び湾曲部３２３の存在により、接点部３２５は、コネクタ幅反中央方向へ弾性変形可能となっている。
【０１１２】
突出部３２７は、側板部３２２の電線方向の中央部において基板近接方向に突出した部分である。図２０に示すように、突出部３２７は、突出部３２７の電線プラグ方向側の端面であるプラグ側端面３２７ａと、突出部３２７のプラグ電線方向側の端面である電線側端面３２７ｂと、を有している。
【０１１３】
（レセプタクル６）
図２１及び図２２に示すように、レセプタクル６は、電線方向に細長く形成されている。レセプタクル６は、底板部３４０と一対のロック梁３４１、接点ユニット３４２によって構成されている。
【０１１４】
底板部３４０は、基板４のコネクタ搭載面５の電極パッド７（図１６及び図１７参照）にハンダ付けされる部分である。底板部３４０は、電線方向に細長く形成されている。底板部３４０は、コネクタ高さ方向に対して直交している。底板部３４０のコネクタ幅方向の両端部には、コネクタ幅反中央方向に開口する切り欠き３４３が夫々形成されている。一対の切り欠き３４３は、底板部３４０の電線プラグ方向寄りに形成されている。底板部３４０は、切り欠き３４３の電線プラグ方向側を区画するプラグ側内壁面３４３ａと、切り欠き３４３の電線プラグ方向側を区画する電線側内壁面３４３ｂと、を有する。
【０１１５】
一対のロック梁３４１は、コネクタ幅方向において左右対称の形状であるから、一方についてのみ説明し、他方の説明は省略する。ロック梁３４１は、底板部３４０のプラグ電線方向側の端部に接続し、電線プラグ方向に延びて形成されている。ロック梁３４１は、底板部３４０に対して直角に起立した姿勢となっている。ロック梁３４１は、コネクタ幅方向に対して直交している。ロック梁３４１の電線プラグ方向側の端部には、コネクタ幅中央方向に隆起したロック隆起部３４４が形成されている。ロック隆起部３４４は、ロック梁３４１の電線プラグ方向側の端部の、基板近接方向側の端部に形成されている。ロック隆起部３４４は、電線プラグ方向を向くプラグ側端面３４４ａと、基板近接方向を向く基板側端面３４４ｂと、を有している。ロック隆起部３４４は、ロック梁３４１の弾性変形を伴って、コネクタ幅反中央方向に弾性変位可能となっている。なお、ロック梁３４１の電線方向の長さは、底板部３４０の電線方向の長さの４分の３である。
【０１１６】
接点ユニット３４２は、プラグ３に対する接点として機能する部分である。接点ユニット３４２は、底板部３４０に支持されている。接点ユニット３４２は、ユニット基端部３４５と接点片３４６によって構成されている。ユニット基端部３４５は、底板部３４０の電線プラグ方向側の端部に接続し、基板離間方向に突出した部分である。ユニット基端部３４５は、底板部３４０の電線プラグ方向側の端部のコネクタ幅方向における片側の部分に接続している。ユニット基端部３４５は、電線方向に対して直交している。接点片３４６は、ユニット基端部３４５のコネクタ幅中央方向側の端部に接続し、プラグ電線方向に延びて形成されている。接点片３４６は、コネクタ幅方向に対して直交している。接点片３４６には、基板離間方向に突出する先細り部３４７が形成されている。先細り部３４７は、接点片３４６の基板離間方向側の端部に形成されている。先細り部３４７は、接点片３４６のプラグ電線方向寄りに形成されている。先細り部３４７には、先細り部３４７が基板離間方向に向かうにつれて先細るように、一対の傾斜面３４８が形成されている。先細り部３４７は、電線プラグ方向を向くプラグ側端面３４７ａと、プラグ電線方向を向く電線側端面３４７ｂと、を有している。ユニット基端部３４５と接点片３４６の存在により、接点ユニット３４２は、基板近接方向で見て、L字を構成している。そして、図２３に示すように、接点ユニット３４２の接点片３４６は、底板部３４０から離れて形成されている。即ち、接点ユニット３４２の接点片３４６と底板部３４０の間には、隙間ｈが形成されている。端的に言えば、接点片３４６は、底板部３４０と比較して、基板４から遠くに配置されている。
【０１１７】
（嵌合作業）
次に、プラグ３をレセプタクル６へ嵌合させる嵌合作業について説明する。参考までに、図２４及び図２５には、プラグ３がレセプタクル６へ嵌合した状態を示している。
【０１１８】
先ず、図１７に示すように、プラグ３に電線２を取り付けた上で、プラグ３をレセプタクル６へ向けて移動させる。プラグ３のレセプタクル６への移動方向は、前述した嵌合方向Pで示される。このとき、図１８に示すプラグ３のプラグ本体３１２の一対の接点梁３２０の側板部３２２が、図２１に示すレセプタクル６の一対のロック梁３４１間に収まるように、プラグ３をレセプタクル６へ向けて移動させる。
【０１１９】
すると、図１９の一対の接点部３２５が図２１の先細り部３４７の一対の傾斜面３４８に接触すると共に、図１９の一対の側板部３２２が図２１の一対のロック隆起部３４４に接触する。
【０１２０】
この状態で、図１８のプラグ本体３１２の底板部３１９を用いてプラグ３を基板近接方向に押し込むと、プラグ３とレセプタクル６は以下のように挙動する。
【０１２１】
(1)図２１の接点片３４６が、図１９の一対の接点梁３２０の弾性変形を伴って、一対の接点梁３２０の接点部３２５間に圧入される。この結果、レセプタクル６の接点片３４６に対してプラグ３の一対の接点梁３２０の接点部３２５が接点梁３２０のバネ復元力により確実に接触する。
【０１２２】
(2)そして、やがて、図２１の接点片３４６の先細り部３４７が図１８の底板部３１９のスリット３２１に挿入される。このとき、図２１の先細り部３４７のプラグ側端面３４７ａが、図１８の底板部３１９の先端内壁面３２１ａと対向する。また、図２１の先細り部３４７の電線側端面３４７ｂが、図１８の底板部３１９の基端内壁面３２１ｂと対向する。これにより、プラグ３のレセプタクル６に対する電線方向での移動が拘束されることになる。
【０１２３】
(3)図１８の一対の側板部３２２が、図２１の一対のロック隆起部３４４を介して、一対のロック梁３４１を押し広げ、一対のロック隆起部３４４がコネクタ幅反中央方向に弾性変位し、やがて、一対のロック隆起部３４４がコネクタ幅中央方向へ復帰すると共に、一対のロック隆起部３４４が一対のロック孔部３２６内に収容される。そして、図２１のロック隆起部３４４の基板側端面３４４ｂが図２０のロック孔部３２６の基板側内壁面３２６ａと対向する。この結果、電線２が基板離間方向に引っ張られた際の、プラグ３のレセプタクル６からの離脱が防止される。本実施形態において、ロック機構Rは、図２１のロック梁３４１のロック隆起部３４４と、図２０のロック孔部３２６によって実現されている。なお、図２６に示すように、側板部３２２の基板側内壁面３２６ａは、電線プラグ方向に向かうにつれて基板近接方向に向かうように傾斜している。一方、ロック隆起部３４４の基板側端面３４４ｂは、コネクタ高さ方向に対して直交している。従って、ロック隆起部３４４の基板側端面３４４ｂと、側板部３２２の基板側内壁面３２６ａとの隙間ｉは、プラグ電線方向に向かうにつれて狭くなっている。この結果、電線２が基板離間方向に引っ張られた際に、プラグ３がレセプタクル６内で、電線保持部３１０が基板離間方向に変位するように回転してしまうのが効果的に抑制される。
【０１２４】
(4)また、ロック隆起部３４４がロック孔部３２６内に収容されると、図２１のロック隆起部３４４のプラグ側端面３４４ａが図２０のロック孔部３２６のプラグ側内壁面３２６ｂと対向する。この結果、プラグ３のレセプタクル６に対する電線プラグ方向での移動が拘束されることになる。
【０１２５】
(5)また、図２０の突出部３２７が図２１の切り欠き３４３内に収容され、図２０の突出部３２７のプラグ側端面３２７ａが図２１の切り欠き３４３のプラグ側内壁面３４３ａと対向し、図２０の突出部３２７の電線側端面３２７ｂが図２１の切り欠き３４３の電線側内壁面３４３ｂと対向する。この結果、プラグ３のレセプタクル６に対する電線方向での移動が拘束されることになる。
【０１２６】
（第５実施形態）
次に、図２７〜図３１を参照しつつ、本願発明の第５実施形態を説明する。ここでは、本実施形態が上記第４実施形態と異なる点を中心に説明し、重複する説明は適宜省略する。また、上記第４実施形態の各構成要素に対応する構成要素には原則として同一の符号を付すこととする。
【０１２７】
（プラグ３）
図２７には、電線２が取り付けられた状態のプラグ３が示されている。図２７に示すように、プラグ３は、電線方向に沿って細長く形成されている。プラグ３は、電線プラグ方向で順に、電線保持部４１０及び電線接続部４１１（中心導体保持部）、プラグ本体４１２によって構成されている。プラグ３は、電線保持部４１０及び電線接続部４１１、プラグ本体４１２を備えて一体的に形成されている。
【０１２８】
電線保持部４１０は、電線２の絶縁被覆９を圧着して保持する部分である。電線保持部４１０は、底板部４１５と一対の保持部４１６によって構成されている。底板部４１５は、コネクタ高さ方向に対して直交する平板状の部分である。一対の保持部４１６は、底板部４１５のコネクタ幅方向の両端部に接続し、基板近接方向に向かって突出している。各保持部４１６の基板近接方向側の端部は、専用の圧着工具によって折り曲げられることで、コネクタ幅中央方向に向かって湾曲している。
【０１２９】
電線接続部４１１は、電線２の撚り線８を圧着して保持する部分である。電線接続部４１１は、電線２の撚り線８に対して電気的に接続している。電線接続部４１１は、底板部４１７と一対の保持部４１８によって構成されている。底板部４１７は、コネクタ高さ方向に対して直交する平板状の部分である。底板部４１７は、電線保持部４１０の底板部４１５の電線プラグ方向側の端部に接続している。一対の保持部４１８は、底板部４１７のコネクタ幅方向の両端部に接続し、基板近接方向に向かって突出している。各保持部４１８は、専用の圧着工具によって折り曲げられることで、コネクタ幅中央方向に向かってC字状に湾曲している。各保持部４１８は、基板近接方向側に膨らみ出るように湾曲している。
【０１３０】
プラグ本体３１２は、底板部４１９と一対の接点梁４２０によって構成されている。
【０１３１】
底板部４１９は、電線接続部４１１の底板部４１７の電線プラグ方向側の端部に接続し、電線プラグ方向に延びる平板状の部分である。底板部４１９は、コネクタ高さ方向に対して直交している。底板部４１９のコネクタ幅方向における中央には、電線方向に延びるスリット４２１が形成されている。底板部４１９は、スリット４２１の電線プラグ方向側を区画する先端内壁面４２１ａと、スリット４２１のプラグ電線方向側を区画する基端内壁面４２１ｂと、を有する。
【０１３２】
一対の接点梁４２０は、コネクタ幅方向において左右対称の形状であるから、一方についてのみ説明し、他方の説明は省略する。
【０１３３】
接点梁４２０は、レセプタクル６に対する接点として機能する部分である。接点梁４２０は、梁状に形成されている。接点梁４２０は、片持ち梁状に形成されている。接点梁４２０は、底板部４１９によって支持された片持ち梁である。接点梁４２０は、底板部４１９のコネクタ幅方向の端部に接続し、底板部４１９に対して直角に起立した姿勢となっている。接点梁４２０は、基板離間方向で見て、プラグ電線方向に向かって開口するＵ字状に形成された片持ち梁である。接点梁４２０は、側板部４２２、湾曲部４２３、傾斜部４２４、接点部４２５によって構成されている。接点梁４２０の形状は、第４実施形態の接点梁３２０の形状と完全同一である。傾斜部４２４及び接点部４２５については、図１９の傾斜部３２４及び接点部３２５を併せて参照されたい。
【０１３４】
側板部４２２は、底板部４１９のコネクタ幅方向の端部に接続し、電線プラグ方向に延びる部分である。側板部４２２は、コネクタ幅方向に対して直交している。側板部４２２のプラグ電線方向寄りには、コネクタ幅反中央方向に反り返ったロック爪部４２６が形成されている。ロック爪部４２６は、側板部４２２のプラグ電線方向寄りの部分を切り起こして形成されている。ロック爪部４２６は、基板離間方向に向かうにつれてコネクタ幅反中央方向に反り返る片持ち梁として形成されている。図２８に示すように、ロック爪部４２６は、電線プラグ方向を向くプラグ側端面４２６ａと、プラグ電線方向を向く電線側端面４２６ｂと、概ね基板離間方向を向く先端面４２６ｃと、を有する。また、側板部４２２は、基板近接方向に突出した突出部４２７を有している。突出部４２７は、突出部４２７の電線プラグ方向側の端面であるプラグ側端面４２７ａを有している。
【０１３５】
湾曲部４２３は、側板部４２２の電線プラグ方向側の端部に接続し、コネクタ幅中央方向へ向かってC字状に湾曲する部分である。
【０１３６】
傾斜部４２４は、湾曲部４２３の側板部４２２と反対側の端部に接続し、プラグ電線方向に延びる部分である。傾斜部４２４は、プラグ電線方向に向かうにつれてコネクタ幅中央方向に向かうように傾斜している。
【０１３７】
接点部４２５は、傾斜部４２４のプラグ電線方向側の端部に接続し、プラグ電線方向に延びる部分である。一方の接点梁４２０の接点部４２５と他方の接点梁４２０の接点部４２５間の距離は、レセプタクル６の板厚よりも小さくなるように設定されている。そして、傾斜部４２４及び湾曲部４２３の存在により、接点部４２５は、コネクタ幅反中央方向へ弾性変形可能となっている。
【０１３８】
（レセプタクル６）
図２９に示すように、レセプタクル６は、電線方向に細長く形成されている。レセプタクル６は、底板部４４０と一対の側板部４４１、接点ユニット４４２によって構成されている。
【０１３９】
底板部４４０は、基板４のコネクタ搭載面５の電極パッド７（図１６及び図１７参照）にハンダ付けされる部分である。底板部４４０は、電線方向に細長く形成されている。底板部４４０は、コネクタ高さ方向に対して直交している。底板部４４０のコネクタ幅方向の両端部には、コネクタ幅反中央方向に開口する切り欠き４４３が夫々形成されている。一対の切り欠き４４３は、底板部４４０の電線方向中央に形成されている。底板部４４０は、切り欠き４４３の電線プラグ方向側を区画するプラグ側内壁面４４３ａを有する。
【０１４０】
一対の側板部４４１は、コネクタ幅方向において左右対称の形状であるから、一方についてのみ説明し、他方の説明は省略する。側板部４４１は、底板部４４０のプラグ電線方向側の端部及び電線プラグ方向側の端部に接続し、電線方向に延びて形成されている。側板部４４１は、底板部４４０に対して直角に起立した姿勢となっている。側板部４４１は、コネクタ幅方向に対して直交している。側板部４４１は、コネクタ幅反中央方向側に倒れるように弾性変形可能となっている。側板部４４１の電線方向中央には、基板近接方向に開口するロック切り欠き部４４４が形成されている。ロック切り欠き部４４４は、側板部４４１の基板近接方向側の端部に形成されている。ロック切り欠き部４４４は、コネクタ幅中央方向で見て、矩形状に形成されている。図３０に示すように、側板部４４１は、ロック切り欠き部４４４の基板離間方向側を区画するロック面４４４ａ、ロック切り欠き部４４４の電線プラグ方向側を区画するプラグ側内壁面４４４ｂ、ロック切り欠き部４４４のプラグ電線方向側を区画する電線側内壁面４４４ｃを有している。ロック面４４４ａは、コネクタ高さ方向に対して直交している。プラグ側内壁面４４４ｂ及び電線側内壁面４４４ｃは、電線方向に対して直交している。なお、側板部４４１の電線方向の長さは、底板部４４０の電線方向の長さと略等しい。
【０１４１】
接点ユニット４４２は、プラグ３に対する接点として機能する部分である。接点ユニット４４２は、底板部４４０に支持されている。接点ユニット４４２は、ユニット基端部４４５と接点片４４６によって構成されている。ユニット基端部４４５は、底板部４４０の電線プラグ方向側の端部に接続し、基板離間方向に突出した部分である。ユニット基端部４４５は、底板部４４０の電線プラグ方向側の端部のコネクタ幅方向における片側の部分に接続している。ユニット基端部４４５は、電線方向に対して直交している。接点片４４６は、ユニット基端部４４５のコネクタ幅中央方向側の端部に接続し、プラグ電線方向に延びて形成されている。接点片４４６は、コネクタ幅方向に対して直交している。接点片４４６には、基板離間方向に突出する先細り部４４７が形成されている。先細り部４４７は、接点片４４６の基板離間方向側の端部に形成されている。先細り部４４７は、接点片４４６のプラグ電線方向寄りに形成されている。先細り部４４７には、先細り部４４７が基板離間方向に向かうにつれて先細るように、一対の傾斜面４４８が形成されている。先細り部４４７は、電線プラグ方向を向くプラグ側端面４４７ａと、プラグ電線方向を向く電線側端面４４７ｂと、を有している。ユニット基端部４４５及び接点片４４６の存在により、接点ユニット４４２は、基板近接方向で見て、L字を構成している。そして、接点ユニット４４２の接点片４４６は、底板部４４０から離れて形成されている。即ち、接点ユニット４４２の接点片４４６と底板部４４０の間には、隙間ｈ（図２３を併せて参照）が形成されている。端的に言えば、接点片４４６は、底板部４４０と比較して、基板４から遠くに配置されている。
【０１４２】
（嵌合作業）
次に、プラグ３をレセプタクル６へ嵌合させる嵌合作業について説明する。参考までに、図３１には、プラグ３がレセプタクル６へ嵌合した状態を示している。
【０１４３】
先ず、図１７に示すように、プラグ３に電線２を取り付けた上で、プラグ３をレセプタクル６へ向けて移動させる。プラグ３のレセプタクル６への移動方向は、前述した嵌合方向Pで示される。このとき、図２７に示すプラグ３のプラグ本体４１２の一対の接点梁４２０の側板部４２２が、図２９に示すレセプタクル６の一対の側板部４４１間に収まるように、プラグ３をレセプタクル６へ向けて移動させる。
【０１４４】
すると、図２７の一対の接点部４２５が図２９の接点片４４６の一対の傾斜面４４８に接触すると共に、図２７の一対のロック爪部４２６が図２９の一対の側板部４４１に接触する。
【０１４５】
この状態で、図２７のプラグ本体４１２の底板部４１９を用いてプラグ３を基板近接方向に押し込むと、プラグ３とレセプタクル６は以下のように挙動する。
【０１４６】
(1)図２９の接点片４４６が、図２７の一対の接点梁４２０の弾性変形を伴って、一対の接点梁４２０の接点部４２５間に圧入される。この結果、レセプタクル６の接点片４４６に対してプラグ３の一対の接点梁４２０の接点部４２５が接点梁４２０のバネ復元力により確実に接触する。
【０１４７】
(2)そして、やがて、図２９の接点片４４６の先細り部４４７が図２７の底板部４１９のスリット４２１に挿入される。このとき、図２９の先細り部４４７のプラグ側端面４４７ａが、図２７の底板部４１９の先端内壁面４２１ａと対向する。また、図２９の先細り部４４７の電線側端面４４７ｂが、図２７の底板部４１９の基端内壁面４２１ｂと対向する。これにより、プラグ３のレセプタクル６に対する電線方向での移動が拘束されることになる。
【０１４８】
(3)図２７の一対のロック爪部４２６が、図２９の一対の側板部４４１を押し広げ、一対の側板部４４１がコネクタ幅反中央方向に弾性変位し、やがて、一対のロック爪部４２６がロック切り欠き部４４４内に至ると、一対の側板部４４１がコネクタ幅中央方向へバネ復元力により復帰し、一対のロック爪部４２６が一対のロック切り欠き部４４４内に収容される。そして、図２８のロック爪部４２６の先端面４２６ｃが図３０のロック切り欠き部４４４のロック面４４４ａと対向する。この結果、電線２が基板離間方向に引っ張られた際の、プラグ３のレセプタクル６からの離脱が防止される。本実施形態において、ロック機構Rは、図２７のロック爪部４２６と、図２９のロック切り欠き部４４４によって実現されている。
【０１４９】
(4)また、ロック爪部４２６がロック切り欠き部４４４内に収容されると、図２８のロック爪部４２６のプラグ側端面４２６ａが図３０のロック切り欠き部４４４のプラグ側内壁面４４４ｂと対向する。同時に、図２８のロック爪部４２６の電線側端面４２６ｂが図３０のロック切り欠き部４４４の電線側内壁面４４４ｃと対向する。この結果、プラグ３のレセプタクル６に対する電線方向での移動が拘束されることになる。
【０１５０】
(5)また、図２７の突出部４２７が図２９の切り欠き４４３内に収容され、図２７の突出部４２７のプラグ側端面４２７ａが図２９の切り欠き４４３のプラグ側内壁面４４３ａと対向する。この結果、プラグ３のレセプタクル６に対する電線プラグ方向での移動が拘束されることになる。
【０１５１】
（第６実施形態）
次に、図３２〜図３５を参照しつつ、本願発明の第６実施形態を説明する。ここでは、本実施形態が上記第４実施形態と異なる点を中心に説明し、重複する説明は適宜省略する。また、上記第４実施形態の各構成要素に対応する構成要素には原則として同一の符号を付すこととする。
【０１５２】
（プラグ３）
図３２には、電線２が取り付けられた状態のプラグ３が示されている。図３２に示すように、プラグ３は、電線方向に沿って細長く形成されている。プラグ３は、電線プラグ方向で順に、電線保持部５１０及び電線接続部５１１（中心導体保持部）、プラグ本体５１２によって構成されている。プラグ３は、電線保持部５１０及び電線接続部５１１、プラグ本体５１２を備えて一体的に形成されている。
【０１５３】
電線保持部５１０は、電線２の絶縁被覆９を圧着して保持する部分である。電線保持部５１０は、底板部５１５と一対の保持部５１６によって構成されている。底板部５１５は、コネクタ高さ方向に対して直交する平板状の部分である。一対の保持部５１６は、底板部５１５のコネクタ幅方向の両端部に接続し、基板近接方向に向かって突出している。各保持部５１６の基板近接方向側の端部は、専用の圧着工具によって折り曲げられることで、コネクタ幅中央方向に向かって湾曲している。
【０１５４】
電線接続部５１１は、電線２の撚り線８を圧着して保持する部分である。電線接続部５１１は、電線２の撚り線８に対して電気的に接続している。電線接続部５１１は、底板部５１７と一対の保持部５１８によって構成されている。底板部５１７は、コネクタ高さ方向に対して直交する平板状の部分である。底板部５１７は、電線保持部５１０の底板部５１５の電線プラグ方向側の端部に接続している。一対の保持部５１８は、底板部５１７のコネクタ幅方向の両端部に接続し、基板近接方向に向かって突出している。各保持部５１８は、専用の圧着工具によって折り曲げられることで、コネクタ幅中央方向に向かってC字状に湾曲している。各保持部５１８は、基板近接方向側に膨らみ出るように湾曲している。
【０１５５】
プラグ本体５１２は、底板部５１９と一対の接点梁５２０、一対のロックユニット５２６によって構成されている。
【０１５６】
底板部５１９は、電線接続部５１１の底板部５１７の電線プラグ方向側の端部に接続し、電線プラグ方向に延びる平板状の部分である。底板部５１９は、コネクタ高さ方向に対して直交している。底板部５１９のコネクタ幅方向における中央には、電線方向に延びるスリット５２１が形成されている。底板部５１９は、スリット５２１の電線プラグ方向側を区画する先端内壁面５２１ａと、スリット５２１のプラグ電線方向側を区画する基端内壁面５２１ｂと、を有する。
【０１５７】
一対の接点梁５２０、一対のロックユニット５２６は、コネクタ幅方向において左右対称の形状であるから、一方についてのみ説明し、他方の説明は省略する。
【０１５８】
接点梁５２０は、レセプタクル６に対する接点として機能する部分である。接点梁５２０は、梁状に形成されている。接点梁５２０は、片持ち梁状に形成されている。接点梁５２０は、底板部５１９によって支持された片持ち梁である。接点梁５２０は、底板部５１９のコネクタ幅方向の端部に接続し、底板部５１９に対して直角に起立した姿勢となっている。接点梁５２０は、基板離間方向で見て、プラグ電線方向に向かって開口するＵ字状に形成された片持ち梁である。接点梁５２０は、側板部５２２、湾曲部５２３、傾斜部５２４、接点部５２５によって構成されている。接点梁５２０の形状は、第４実施形態の接点梁３２０の形状と完全同一である。傾斜部５２４及び接点部５２５については、図１９の傾斜部３２４及び接点部３２５を併せて参照されたい。
【０１５９】
側板部５２２は、底板部５１９のコネクタ幅方向の端部に接続し、電線プラグ方向に延びる部分である。側板部５２２は、コネクタ幅方向に対して直交している。
【０１６０】
湾曲部５２３は、側板部５２２の電線プラグ方向側の端部に接続し、コネクタ幅中央方向へ向かってC字状に湾曲する部分である。
【０１６１】
傾斜部５２４は、湾曲部５２３の側板部５２２と反対側の端部に接続し、プラグ電線方向に延びる部分である。傾斜部５２４は、プラグ電線方向に向かうにつれてコネクタ幅中央方向に向かうように傾斜している。
【０１６２】
接点部５２５は、傾斜部５２４のプラグ電線方向側の端部に接続し、プラグ電線方向に延びる部分である。一方の接点梁５２０の接点部５２５と他方の接点梁５２０の接点部５２５間の距離は、レセプタクル６の板厚よりも小さくなるように設定されている。そして、傾斜部５２４及び湾曲部５２３の存在により、接点部５２５は、コネクタ幅反中央方向へ弾性変形可能となっている。
【０１６３】
ロックユニット５２６は、図３３に示すように、ロック梁５２６ａ、ロック梁５２６ｂ、爪部５２６ｃ、爪部５２６ｄによって構成されている。ロック梁５２６ａ及びロック梁５２６ｂは、接点梁５２０のプラグ電線方向側の端部に接続し、基板近接方向に延びる片持ち梁である。ロック梁５２６ａは、ロック梁５２６ｂよりも電線プラグ方向側に配置されている。爪部５２６ｃは、ロック梁５２６ａの基板近接方向側の端部に接続し、電線プラグ方向に突出する部分である。爪部５２６ｄは、ロック梁５２６ｂの基板近接方向側の端部に接続し、プラグ電線方向に突出する部分である。
【０１６４】
（レセプタクル６）
図３４に示すように、レセプタクル６は、電線方向に細長く形成されている。レセプタクル６は、底板部５４０と接点ユニット５４３によって構成されている。
【０１６５】
底板部３４０は、基板４のコネクタ搭載面５の電極パッド７（図１６及び図１７参照）にハンダ付けされる部分である。底板部５４０は、電線方向に細長く形成されている。底板部５４０は、電線プラグ方向で順に、第１ハンダ付け部５４０ａとロック板部５４０ｂ、第２ハンダ付け部５４０ｃによって構成されている。第１ハンダ付け部５４０ａは、コネクタ高さ方向に対して直交する平板状に形成されている。ロック板部５４０ｂは、第１ハンダ付け部５４０ａの電線プラグ方向側の端部に接続し、第１ハンダ付け部５４０ａと比較して基板離間方向側に若干隆起し、コネクタ高さ方向に対して直交する平板状に形成されている。ロック板部５４０ｂのコネクタ幅方向における両端部には、一対のロック孔部５４０ｄが形成されている。第２ハンダ付け部５４０ｃは、ロック板部５４０ｂの電線プラグ方向側の端部に接続し、ロック板部５４０ｂと比較して基板近接方向側に若干窪み、コネクタ高さ方向に対して直交する平板状に形成されている。第１ハンダ付け部５４０ａ及び第２ハンダ付け部５４０ｃは、基板４のコネクタ搭載面５の電極パッド７にハンダ付けされる。
【０１６６】
接点ユニット５４３は、プラグ３に対する接点として機能する部分である。接点ユニット５４３は、底板部５４０に支持されている。接点ユニット５４３は、ユニット基端部５４５と接点片５４６によって構成されている。ユニット基端部５４５は、底板部５４０の電線プラグ方向側の端部に接続し、基板離間方向に突出した部分である。ユニット基端部５４５は、底板部５４０の電線プラグ方向側の端部のコネクタ幅方向における片側の部分に接続している。ユニット基端部５４５は、電線方向に対して直交している。接点片５４６は、ユニット基端部５４５のコネクタ幅中央方向側の端部に接続し、プラグ電線方向に延びて形成されている。接点片５４６は、コネクタ幅方向に対して直交している。接点片５４６は、基板離間方向に突出する先細り部５４７が形成されている。先細り部５４７は、接点片５４６の基板離間方向側の端部に形成されている。先細り部５４７は、接点片５４６のプラグ電線方向寄りに形成されている。先細り部５４７には、先細り部５４７が基板離間方向に向かうにつれて先細るように、一対の傾斜面５４８が形成されている。先細り部５４７は、電線プラグ方向を向くプラグ側端面５４７ａと、プラグ電線方向を向く電線側端面５４７ｂと、を有している。ユニット基端部５４５と接点片５４６の存在により、接点ユニット５４３は、基板近接方向で見て、L字を構成している。そして、接点ユニット５４３の接点片５４６は、底板部５４０から離れて形成されている。即ち、接点ユニット５４３の接点片５４６と底板部５４０の間には、隙間ｈ（図２３を併せて参照）が形成されている。端的に言えば、接点片５４６は、底板部５４０と比較して、基板４から遠くに配置されている。
【０１６７】
（嵌合作業）
次に、プラグ３をレセプタクル６へ嵌合させる嵌合作業について説明する。参考までに、図３５には、プラグ３がレセプタクル６へ嵌合した状態を示している。
【０１６８】
先ず、図１７に示すように、プラグ３に電線２を取り付けた上で、プラグ３をレセプタクル６へ向けて移動させる。プラグ３のレセプタクル６への移動方向は、前述した嵌合方向Pで示される。このとき、図３２に示すプラグ３のプラグ本体５１２の一対の接点梁５２０の接点部５２５間に、図３４に示すレセプタクル６の先細り部５４７が収まるように、プラグ３をレセプタクル６へ向けて移動させる。
【０１６９】
すると、図３２の一対の接点部５２５が図３４の接点片５４６の一対の傾斜面５４８に接触すると共に、図３２の一対のロックユニット５２６の爪部５２６ｃ及び爪部５２６ｄが図３４の一対のロック孔部５４０ｄに若干挿入された状態で底板部５４０に対して接触する。
【０１７０】
この状態で、図３２のプラグ本体５１２の底板部５１９を用いてプラグ３を基板近接方向に押し込むと、プラグ３とレセプタクル６は以下のように挙動する。
【０１７１】
(1)図３４の接点片５４６が、図３２の一対の接点梁５２０の弾性変形を伴って、一対の接点梁５２０の接点部５２５間に圧入される。この結果、レセプタクル６の接点片５４６に対してプラグ３の一対の接点梁５２０の接点部５２５が接点梁５２０のバネ復元力により確実に接触する。
【０１７２】
(2)そして、やがて、図３４の接点片５４６の先細り部５４７が図３２の底板部５１９のスリット５２１に挿入される。このとき、図３４の先細り部５４７のプラグ側端面５４７ａが、図３２の底板部５１９の先端内壁面５２１ａと対向する。また、図３４の先細り部５４７の電線側端面５４７ｂが、図３２の底板部５１９の基端内壁面５２１ｂと対向する。これにより、プラグ３のレセプタクル６に対する電線方向での移動が拘束されることになる。
【０１７３】
(3)図３２の一対のロックユニット５２６が、図３４の一対のロック孔部５４０ｄに挿入されることで、爪部５２６ｃ及び爪部５２６ｄが底板部５４０のロック板部５４０ｂに引っ掛かる。この結果、電線２が基板離間方向に引っ張られた際の、プラグ３のレセプタクル６からの離脱が防止される。本実施形態において、ロック機構Rは、図３２のロックユニット５２６と、図３４のロック孔部５４０ｄによって実現されている。
【０１７４】
この出願は、2012年3月28日に出願された日本出願特願2012-074033を基礎とする優先権を主張し、その開示の全てをここに取り込む。
【符号の説明】
【０１７５】
１  電線対基板コネクタ
２  電線
３  プラグ（第１端子）
４  基板
５  コネクタ搭載面
６  レセプタクル（第２端子）
７  電極パッド
８  撚り線（中心導体）
９  絶縁被覆
１０  電線保持部
１１  電線接続部（中心導体保持部）
１２  プラグ本体
１５  底板部
１６  保持部
１７  底板部
１８  保持部
１９  底板部
２０  直立棒ガイド部
２２  直立棒ガイド孔部（ガイド孔部）
２３  接点梁
２３ａ  基端部
２３ｂ  傾斜部
２３ｃ  先端部
２４  押し込み板部
２５  接点片ガイド部
４０  底板部
４１  側板部
４２  直立棒（ガイド棒部）
４３  接点ユニット
４４  ガイド傾斜部（傾斜部）
４５  ユニット基端部
４６  ユニット中間部
４７  接点片
４８  傾斜面
４９  ロックユニット
５０  ロック梁
５１  爪部
５１ａ  傾斜面
１４０  底板部
１４１  側板部
１４２  直立棒（ガイド棒部）
１４３  接点ユニット
１４４  ガイド傾斜部（傾斜部）
１４５  ユニット基端部
１４６  ユニット中間部
１４７  接点片
１４８  傾斜面
１４９  ロックユニット
１５３  起立部
１５４  湾曲部
１５５  傾斜部
１５５ａ  傾斜面
２１０  電線保持部
２１１  電線接続部（中心導体保持部）
２１２  プラグ本体
２１５  底板部
２１６  保持部
２１７  底板部
２１８  保持部
２１９  底板部
２２０  押し込み板部
２２２  直立棒ガイド孔部（ガイド孔部）
２２３  接点梁
２２３ａ  基端部
２２３ｂ  傾斜部
２２３ｃ  先端部
２２４  直立棒ガイド部
２２４ａ  切り欠き
２２５  ロックユニット
２２６  接点片ガイド部
２２７  ロック梁
２２８  爪部
２４０  底板部
２４０ａ  第１ハンダ付け部
２４０ｂ  ロック板部
２４０ｃ  第２ハンダ付け部
２４０ｄ  ロック孔部
２４１  側板部
２４２  直立棒（ガイド棒部）
２４３  接点ユニット
２４５  ユニット基端部
２４６  ユニット中間部
２４７  接点片
２４８  傾斜面
３１０  電線保持部
３１１  電線接続部（中心導体保持部）
３１２  プラグ本体
３１５  底板部
３１６  保持部
３１７  底板部
３１８  保持部
３１９  底板部
３２０  接点梁
３２１  スリット
３２１ａ  先端内壁面
３２１ｂ  基端内壁面
３２２  側板部
３２３  湾曲部
３２４  傾斜部
３２５  接点部
３２６  ロック孔部
３２６ａ  基板側内壁面
３２６ｂ  プラグ側内壁面
３２６ｃ  電線側内壁面
３２７  突出部
３２７ａ  プラグ側端面
３２７ｂ  電線側端面
３４０  底板部
３４１  ロック梁
３４２  接点ユニット
３４３  切り欠き
３４３ａ  プラグ側内壁面
３４３ｂ  電線側内壁面
３４４  ロック隆起部
３４４ａ  プラグ側端面
３４４ｂ  基板側端面
３４５  ユニット基端部
３４６  接点片
３４７  先細り部
３４７ａ  プラグ側端面
３４７ｂ  電線側端面
３４８  傾斜面
４１０  電線保持部
４１１  電線接続部（中心導体保持部）
４１２  プラグ本体
４１５  底板部
４１６  保持部
４１７  底板部
４１８  保持部
４１９  底板部
４２０  接点梁
４２１  スリット
４２１ａ  先端内壁面
４２１ｂ  基端内壁面
４２２  側板部
４２３  湾曲部
４２４  傾斜部
４２５  接点部
４２６  ロック爪部
４２６ａ  プラグ側端面
４２６ｂ  電線側端面
４２６ｃ  先端面
４２７  突出部
４２７ａ  プラグ側端面
４４０  底板部
４４１  側板部
４４２  接点ユニット
４４３  切り欠き
４４３ａ  プラグ側内壁面
４４４  ロック切り欠き部
４４４ａ  ロック面
４４４ｂ  プラグ側内壁面
４４４ｃ  電線側内壁面
４４５  ユニット基端部
４４６  接点片
４４７  先細り部
４４７ａ  プラグ側端面
４４７ｂ  電線側端面
４４８  傾斜面
５１０  電線保持部
５１１  電線接続部（中心導体保持部）
５１２  プラグ本体
５１５  底板部
５１７  底板部
５１８  保持部
５１９  底板部
５２０  接点梁
５２１  スリット
５２１ａ  先端内壁面
５２１ｂ  基端内壁面
５２２  側板部
５２３  湾曲部
５２４  傾斜部
５２５  接点部
５２６  ロックユニット
５２６ａ  ロック梁
５２６ｂ  ロック梁
５２６ｃ  爪部
５２６ｄ  爪部
５４０  底板部
５４０ａ  第１ハンダ付け部
５４０ｂ  ロック板部
５４０ｃ  第２ハンダ付け部
５４０ｄ  ロック孔部
５４３  接点ユニット
５４５  ユニット基端部
５４６  接点片
５４７  先細り部
５４７ａ  プラグ側端面
５４７ｂ  電線側端面
５４８  傾斜面
ｇ  隙間
ｈ  隙間
ｉ  隙間
P  嵌合方向
R  ロック機構
ｓ  スリット
【図１】
2013145521.tif 000003
【図２】
2013145521.tif 000004
【図３】
2013145521.tif 000005
【図４】
2013145521.tif 000006
【図５】
2013145521.tif 000007
【図６】
2013145521.tif 000008
【図７】
2013145521.tif 000009
【図８】
2013145521.tif 000010
【図９】
2013145521.tif 000011
【図１０】
2013145521.tif 000012
【図１１】
2013145521.tif 000013
【図１２】
2013145521.tif 000014
【図１３】
2013145521.tif 000015
【図１４】
2013145521.tif 000016
【図１５】
2013145521.tif 000017
【図１６】
2013145521.tif 000018
【図１７】
2013145521.tif 000019
【図１８】
2013145521.tif 000020
【図１９】
2013145521.tif 000021
【図２０】
2013145521.tif 000022
【図２１】
2013145521.tif 000023
【図２２】
2013145521.tif 000024
【図２３】
2013145521.tif 000025
【図２４】
2013145521.tif 000026
【図２５】
2013145521.tif 000027
【図２６】
2013145521.tif 000028
【図２７】
2013145521.tif 000029
【図２８】
2013145521.tif 000030
【図２９】
2013145521.tif 000031
【図３０】
2013145521.tif 000032
【図３１】
2013145521.tif 000033
【図３２】
2013145521.tif 000034
【図３３】
2013145521.tif 000035
【図３４】
2013145521.tif 000036
【図３５】
2013145521.tif 000037
【図３６】
2013145521.tif 000038
【手続補正書】
【提出日】平成26年9月25日(2014.9.25)
【手続補正１】
【補正対象書類名】特許請求の範囲
【補正対象項目名】全文
【補正方法】変更
【補正の内容】
【特許請求の範囲】
【請求項１】
電線に取り付けられる第１端子と、基板のコネクタ搭載面に搭載される第２端子と、を備え、前記第１端子及び前記第２端子は金属によって形成されており、前記第１端子を前記第２端子へ嵌合させることで前記電線を前記基板に対して接続する、電線対基板コネクタであって、
前記第1端子を前記第2端子へ嵌合させた際に、前記電線の前記第１端子近傍における長手方向となる方向としての電線方向は、前記基板の前記コネクタ搭載面に対して平行であり、
前記第1端子を前記第2端子へ嵌合させる方向としての嵌合方向は、前記基板の前記コネクタ搭載面に対して近づく方向である、
電線対基板コネクタ。
【請求項２】
請求項１に記載の電線対基板コネクタであって、
前記嵌合方向は、前記基板の前記コネクタ搭載面に対して直交する方向である、
電線対基板コネクタ。
【請求項３】
請求項１又は２に記載の電線対基板コネクタであって、
前記第２端子は、
前記基板の前記コネクタ搭載面に対して対向する底板部と、
前記第２端子へ嵌合した前記第１端子を、前記電線方向に対して直交する方向としての電線直交方向で挟む一対の側板部と、
を有する、
電線対基板コネクタ。
【請求項４】
請求項３に記載の電線対基板コネクタであって、
前記第２端子は、前記基板の前記コネクタ搭載面から離れるように延びるガイド棒部を有し、
前記第１端子には、前記ガイド棒部が挿入されるガイド孔部が形成されている、
電線対基板コネクタ。
【請求項５】
請求項３又は４に記載の電線対基板コネクタであって、
前記第１端子は、一対の梁状の接点梁を有し、
前記第２端子は、前記一対の接点梁の間に圧入される接点片を有する、
電線対基板コネクタ。
【請求項６】
請求項５に記載の電線対基板コネクタであって、
前記一対の接点梁は、片持ち梁状に形成されている、
電線対基板コネクタ。
【請求項７】
請求項５又は６に記載の電線対基板コネクタであって、
前記接点片は、前記底板部から離れて形成されている、
電線対基板コネクタ。
【請求項８】
請求項７に記載の電線対基板コネクタであって、
前記接点片は、前記一対の側板部のうち何れか一方の側板部に支持されている、
電線対基板コネクタ。
【請求項９】
請求項５〜８の何れかに記載の電線対基板コネクタであって、
前記第１端子は、前記一対の接点梁を挟んで前記基板と反対側に配置される押し込み板部を有する、
電線対基板コネクタ。
【請求項１０】
請求項３〜９の何れかに記載の電線対基板コネクタであって、
前記第１端子又は前記第２端子のうち少なくとも何れか一方に、前記第２端子からの前記第１端子の離脱を防止するロック機構が形成されている、
電線対基板コネクタ。
【請求項１１】
請求項１０に記載の電線対基板コネクタであって、
前記第２端子は、
前記一対の側板部に夫々支持されると共に、前記電線方向に梁状に延びる一対のロック梁と、
前記一対のロック梁に夫々支持されると共に、相互に近づくように突出する一対の爪部と、
を有し、
前記第１端子を前記第２端子へ嵌合させると前記第１端子が前記第２端子の前記一対の爪部に引っ掛かるように構成され、
前記一対のロック梁と前記一対の爪部は、前記ロック機構を構成している、
電線対基板コネクタ。
【請求項１２】
請求項１１に記載の電線対基板コネクタであって、
前記第１端子は、前記電線の導体を保持する導体保持部を有し、
前記第１端子を前記第２端子へ嵌合させると前記第１端子の前記導体保持部が前記第２端子の前記一対の爪部に引っ掛かるように構成されている、
電線対基板コネクタ。
【請求項１３】
請求項３〜１２の何れかに記載の電線対基板コネクタであって、
前記第２端子は、
前記一対の側板部に夫々接続し、前記基板の前記コネクタ搭載面から離れるにつれて相互に離れるように傾斜する、一対の傾斜部を有する、
電線対基板コネクタ。
【手続補正２】
【補正対象書類名】明細書
【補正対象項目名】０００６
【補正方法】変更
【補正の内容】
【０００６】
本願発明の観点によれば、電線に取り付けられる第１端子と、基板のコネクタ搭載面に搭載される第２端子と、を備え、前記第１端子及び前記第２端子は金属によって形成されており、前記第１端子を前記第２端子へ嵌合させることで前記電線を前記基板に対して接続する、電線対基板コネクタであって、前記第1端子を前記第2端子へ嵌合させた際に、前記電線の前記第１端子近傍における長手方向となる方向としての電線方向は、前記基板の前記コネクタ搭載面に対して平行であり、前記第1端子を前記第2端子へ嵌合させる方向としての嵌合方向は、前記基板の前記コネクタ搭載面に対して近づく方向である、電線対基板コネクタが提供される。
好ましくは、前記嵌合方向は、前記基板の前記コネクタ搭載面に対して直交する方向である。
好ましくは、前記第２端子は、前記基板の前記コネクタ搭載面に対して対向する底板部と、前記第２端子へ嵌合した前記第１端子を、前記電線方向に対して直交する方向としての電線直交方向で挟む一対の側板部と、を有する。
好ましくは、前記第２端子は、前記基板の前記コネクタ搭載面から離れるように延びるガイド棒部を有し、前記第１端子には、前記ガイド棒部が挿入されるガイド孔部が形成されている。
好ましくは、前記第１端子は、一対の梁状の接点梁を有し、前記第２端子は、前記一対の接点梁の間に圧入される接点片を有する。
好ましくは、前記一対の接点梁は、片持ち梁状に形成されている。
好ましくは、前記接点片は、前記底板部から離れて形成されている。
好ましくは、前記接点片は、前記一対の側板部のうち何れか一方の側板部に支持されている。
好ましくは、前記第１端子は、前記一対の接点梁を挟んで前記基板と反対側に配置され、前記嵌合方向に対して直交する平板状の押し込み板部を有する。
好ましくは、前記第１端子又は前記第２端子のうち少なくとも何れか一方に、前記第２端子からの前記第１端子の離脱を防止するロック機構が形成されている。
好ましくは、前記第２端子は、前記一対の側板部に夫々支持されると共に、前記電線方向に梁状に延びる一対のロック梁と、前記一対のロック梁に夫々支持されると共に、相互に近づくように突出する一対の爪部と、を有し、前記第１端子を前記第２端子へ嵌合させると前記第１端子が前記第２端子の前記一対の爪部に引っ掛かるように構成され、前記一対のロック梁と前記一対の爪部は、前記ロック機構を構成している。
好ましくは、前記第１端子は、前記電線の導体を保持する導体保持部を有し、前記第１端子を前記第２端子へ嵌合させると前記第１端子の前記導体保持部が前記第２端子の前記一対の爪部に引っ掛かるように構成されている。
好ましくは、前記第２端子は、前記一対の側板部に夫々接続し、前記基板の前記コネクタ搭載面から離れるにつれて相互に離れるように傾斜する、一対の傾斜部を有する。
【手続補正３】
【補正対象書類名】明細書
【補正対象項目名】００５３
【補正方法】変更
【補正の内容】
【００５３】
（１２）また、プラグ３は、電線２の撚り線８（導体）を保持する電線接続部１１（導体保持部）を有する。プラグ３をレセプタクル６へ嵌合させるとプラグ３の電線接続部１１がレセプタクル６の一対の爪部５１に引っ掛かるように構成されている。
【手続補正４】
【補正対象書類名】明細書
【補正対象項目名】０１２３
【補正方法】変更
【補正の内容】
【０１２３】
(3)図１９の一対の側板部３２２が、図２１の一対のロック隆起部３４４を介して、一対のロック梁３４１を押し広げ、一対のロック隆起部３４４がコネクタ幅反中央方向に弾性変位し、やがて、一対のロック隆起部３４４がコネクタ幅中央方向へ復帰すると共に、一対のロック隆起部３４４が一対のロック孔部３２６内に収容される。そして、図２１のロック隆起部３４４の基板側端面３４４ｂが図２０のロック孔部３２６の基板側内壁面３２６ａと対向する。この結果、電線２が基板離間方向に引っ張られた際の、プラグ３のレセプタクル６からの離脱が防止される。本実施形態において、ロック機構Rは、図２１のロック梁３４１のロック隆起部３４４と、図２０のロック孔部３２６によって実現されている。なお、図２６に示すように、側板部３２２の基板側内壁面３２６ａは、電線プラグ方向に向かうにつれて基板近接方向に向かうように傾斜している。一方、ロック隆起部３４４の基板側端面３４４ｂは、コネクタ高さ方向に対して直交している。従って、ロック隆起部３４４の基板側端面３４４ｂと、側板部３２２の基板側内壁面３２６ａとの隙間ｉは、プラグ電線方向に向かうにつれて狭くなっている。この結果、電線２が基板離間方向に引っ張られた際に、プラグ３がレセプタクル６内で、電線保持部３１０が基板離間方向に変位するように回転してしまうのが効果的に抑制される。
【手続補正５】
【補正対象書類名】図面
【補正対象項目名】図５
【補正方法】変更
【補正の内容】
【図５】
2013145521.tif 000039
【国際調査報告】
2013145521.tif 000040
2013145521.tif 000041
2013145521.tif 000042
2013145521.tif 000043